(57)【要約】ある態様によれば、無線デバイスは、以前に設定された２つ以上の帯域幅部分（ＢＷＰ）のうちの１つで選択的に動作するように構成され、各ＢＷＰは、アップリンク及び／又はダウンリンク動作のために使用可能な帯域幅のうちの異なるサブセットである。無線デバイス（802）は、第１のＢＷＰの使用から第２のＢＷＰに切り替えるためのインジケーションを受信し、第２のＢＷＰの使用への切り替えの後に、第２のＢＷＰに対応する、所定のデフォルト設定を、１つ以上の物理レイヤパラメータ及び／又は手順に適用する。
2021520677.tif 000002
【特許請求の範囲】
【請求項１】
以前に設定された２つ以上の帯域幅部分（ＢＷＰ）のうちの１つで選択的に動作するように構成された無線デバイス（50）における方法（800）であって、各ＢＷＰは、アップリンク及び／又はダウンリンク動作のために使用可能な帯域幅のうちの異なるサブセットであり、前記方法（800）は、
第１のＢＷＰの使用から第２のＢＷＰに切り替えるためのインジケーションを受信すること（802）と、
前記第２のＢＷＰの使用への切り替えの後に、前記第２のＢＷＰに対応する、所定のデフォルト設定を、１つ以上の物理レイヤパラメータ及び／又は手順に適用すること（804）と、
を含む、方法。
【請求項２】
請求項１に記載の方法（800）であって、前記所定のデフォルト設定は、複数の所定のデフォルト設定のうちの１つであり、前記複数の所定のデフォルト設定のそれぞれは、前記以前に設定されたＢＷＰのそれぞれに一意に対応する、方法。
【請求項３】
請求項１に記載の方法（800）であって、前記所定のデフォルト設定は、前記第２のＢＷＰを含む、前記以前に設定されたＢＷＰのうちの２つ以上に対応する共通のデフォルト設定である、方法。
【請求項４】
請求項１乃至３のいずれか１項に記載の方法（800）であって、前記所定のデフォルト設定は、前記第２のＢＷＰの使用への切り替えに応じて直ちに適用される、方法。
【請求項５】
請求項１乃至３のいずれか１項に記載の方法（800）であって、前記方法（800）は更に、
前記第２のＢＷＰの使用への切り替えに応じて、１つ以上の物理レイヤ手順の動作を停止することと、
前記第２のＢＷＰのための前記停止された１つ以上の物理レイヤ手順をアクティブ化及び／又は設定するコマンドの受信のために、所定の時間、待機することと、を含み、
前記所定のデフォルト設定の前記適用（804）は、前記所定の時間内に、前記第２のＢＷＰのための前記停止された１つ以上の物理レイヤ手順をアクティブ化及び／又は設定するコマンドを受信することに失敗したことに応じて、実行される、方法。
【請求項６】
請求項１乃至３のいずれか１項に記載の方法（800）であって、前記方法（800）は、前記第２のＢＷＰの使用への切り替えに応じて、前記第２のＢＷＰのための物理レイヤパラメータ及び／又は手順が以前に、前記第２のＢＷＰの以前の使用中にメディアアクセス制御（ＭＡＣ）制御エレメント（ＣＥ）によって設定されたかどうかを判定することを更に含み、前記所定のデフォルト設定の前記適用（804）は、前記第２のＢＷＰのための物理レイヤパラメータ及び／又は手順が以前に、前記第２のＢＷＰの以前の使用中にＭＡＣ ＣＥによって設定されていないと判定したことに応じて、実行される、方法。
【請求項７】
請求項１乃至３のいずれか１項に記載の方法（800）であって、前記方法（800）は、前記第２のＢＷＰの使用への切り替えに応じて、前記第２のＢＷＰのための物理レイヤパラメータ及び／又は手順が以前に、前記第２のＢＷＰの以前の使用中であって、かつ、前記切り替えより前の所定のインターバル内に、メディアアクセス制御（ＭＡＣ）制御エレメント（ＣＥ）によって設定されたかを判定することを更に含み、前記所定のデフォルト設定の前記適用（804）は、前記第２のＢＷＰのための物理レイヤパラメータ及び／又は手順が以前に、前記第２のＢＷＰの以前の使用中であって、かつ、前記所定のインターバル内に、ＭＡＣ ＣＥによって設定されていないと判定したことに応じて、実行される、方法。
【請求項８】
請求項１乃至３のいずれか１項に記載の方法（800）であって、前記方法（800）は、前記第２のＢＷＰの使用への切り替えに応じて、前記第２のＢＷＰのための物理レイヤパラメータ及び／又は手順が以前に、アクティブからアイドルへの状態の変化もハンドオーバも無しで生じた前記第２のＢＷＰの以前の使用の間に、メディアアクセス制御（ＭＡＣ）制御エレメント（ＣＥ）によって設定されたかどうかを判定することを更に含み、前記所定のデフォルト設定の前記適用（804）は、前記第２のＢＷＰのための物理レイヤパラメータ及び／又は手順が以前に、アクティブからアイドルへの状態の変化もハンドオーバも無しで生じた前記第２のＢＷＰの以前の使用の間に、ＭＡＣ ＣＥによって設定されていないと判定したことに応じて、実行される、方法。
【請求項９】
請求項１乃至５のいずれか１項に記載の方法（800）であって、
前記所定のデフォルト設定の適用（804）の後に、前記第２のＢＷＰのための１つ以上の物理レイヤ手順をアクティブ化及び／又は設定するコマンドを受信することと、
前記受信されたコマンドに従って前記１つ以上の物理レイヤ手順を実行することと、を更に含む、方法。
【請求項１０】
以前に設定された２つ以上の帯域幅部分（ＢＷＰ）のうちの１つで選択的に動作するように構成された無線デバイス（50）における方法（900）であって、各ＢＷＰは、アップリンク及び／又はダウンリンク動作のために使用可能な帯域幅のうちの異なるサブセットであり、前記方法（900）は、
第１のＢＷＰの使用から第２のＢＷＰに切り替えるためのインジケーションを受信すること（902）と、
前記第２のＢＷＰのための物理レイヤパラメータ及び／又は手順が以前に、前記第２のＢＷＰの以前の使用中にメディアアクセス制御（ＭＡＣ）制御エレメント（ＣＥ）によって設定されたかどうかを判定すること（904）と、
前記第２のＢＷＰのための前記物理レイヤパラメータ及び／又は手順が以前に、前記第２のＢＷＰの以前の使用中にＭＡＣ ＣＥによって設定されたと判定したことに応じて、前記第２のＢＷＰのための前記以前に設定された物理レイヤパラメータ及び／又は手順を適用すること（906）と、
を含む、方法。
【請求項１１】
請求項１０に記載の方法（900）であって、前記第２のＢＷＰのための前記以前に設定された物理レイヤパラメータ及び／又は手順の適用（906）は、前記第２のＢＷＰのための当該以前に設定された物理レイヤパラメータ及び／又は手順が、前記第１のＢＷＰから前記第２のＢＷＰの使用への切り替えより前の所定の時間インターバル内に設定されたと判定することを更に条件とする、方法。
【請求項１２】
請求項１０に記載の方法（900）であって、前記第２のＢＷＰのための前記以前に設定された物理レイヤパラメータ及び／又は手順の適用（906）は、前記第２のＢＷＰのための当該以前に設定された物理レイヤパラメータ及び／又は手順が設定されてから、アクティブ状態からアイドル状態への変化及び／又はハンドオーバが生じていないと判定することを更に条件とする、方法。
【請求項１３】
以前に設定された２つ以上の帯域幅部分（ＢＷＰ）のうちの１つで選択的に動作するように構成された無線デバイス（50）における方法であって、各ＢＷＰは、アップリンク及び／又はダウンリンク動作のために使用可能な帯域幅のうちの異なるサブセットであり、前記方法（1000）は、
第１のＢＷＰの使用から第２のＢＷＰに切り替えるためのインジケーションを受信すること（1002）と、
前記第２のＢＷＰの使用への切り替えに応じて、１つ以上の物理レイヤ手順の動作を停止することであって、前記第２のＢＷＰのための当該停止された１つ以上の物理レイヤ手順をアクティブ化及び／又は設定するコマンドの受信時まで停止すること（1004）を含む、方法。
【請求項１４】
以前に設定された２つ以上の帯域幅部分（ＢＷＰ）のうちの１つで選択的に動作するように構成された無線デバイス（50）における方法（1100）であって、各ＢＷＰは、アップリンク及び／又はダウンリンク動作のために使用可能な帯域幅のうちの異なるサブセットであり、前記方法（1100）は、
第１のＢＷＰの使用から第２のＢＷＰに切り替えるためのインジケーションを受信すること（1102）と、
前記第２のＢＷＰの使用への切り替えに応じて、１つ以上の物理レイヤ手順の動作を停止し、かつ、前記第２のＢＷＰのための当該停止された１つ以上の物理レイヤ手順をアクティブ化及び／又は設定するコマンドの受信のために、所定の時間、待機すること（1104）と、
前記所定の時間内に、前記第２のＢＷＰのための前記停止された１つ以上の物理レイヤ手順をアクティブ化及び／又は設定するコマンドを受信することに失敗したことに応じて、前記以前に設定された２つ以上のＢＷＰのうちのデフォルトＢＷＰの使用に切り替え、かつ、当該デフォルトＢＷＰに対応する、所定のデフォルト設定を、１つ以上の物理レイヤパラメータ及び／又は手順に適用すること（1106）と、
を含む、方法。
【請求項１５】
請求項１乃至１４のいずれか１項に記載の方法（1100）であって、前記１つ以上の物理レイヤパラメータ及び／又は手順は、
チャネル状態情報（ＣＳＩ）報告、
干渉測定報告、及び
サウンディング参照信号（ＳＲＳ）設定パラメータ、
のうちの任意の１つ以上を含む、方法。
【請求項１６】
以前に設定された２つ以上の帯域幅部分（ＢＷＰ）のうちの１つで選択的に動作するように構成された無線デバイス（50）にサービスを行うネットワークノード（30）における方法（600）であって、各ＢＷＰは、アップリンク及び／又はダウンリンク動作のために使用可能な帯域幅のうちの異なるサブセットであり、前記方法（600）は、
第１のＢＷＰの使用から第２のＢＷＰに切り替えるためのインジケーションを、前記無線デバイス（50）へ送信すること（602）と、
前記第２のＢＷＰの使用中に前記無線デバイス（50）から予期されるが受信されなかった物理レイヤ報告の数をカウントすること（604）と、
前記数が所定の限界に達したことに応答して、前記第２のＢＷＰについての物理レイヤ報告を設定するための、１つ以上のメディアアクセス制御（ＭＡＣ）制御エレメント（ＣＥ）を送信すること（606）と、
を含む、方法。
【請求項１７】
請求項１６に記載の方法（600）であって、前記第１のＢＷＰの使用から前記第２のＢＷＰに切り替えるための前記インジケーションの送信後に、前記第２のＢＷＰについての物理レイヤ報告を設定するための１つ以上の第１のＭＡＣ ＣＥを送信することを更に含み、前記カウントすることは、前記１つ以上の第１のＭＡＣ ＣＥを送信することに応じて始まる、方法。
【請求項１８】
以前に設定された２つ以上の帯域幅部分（ＢＷＰ）のうちの１つで選択的に動作するように構成された無線デバイス（50）であって、各ＢＷＰは、アップリンク及び／又はダウンリンク動作のために使用可能な帯域幅のうちの異なるサブセットであり、前記無線デバイス（50）は、
無線通信ネットワークのネットワークノード（30）と通信するように構成されたトランシーバ回路（56）と、
前記トランシーバ回路（56）と動作可能に関連付けられた処理回路（52）と、を備え、当該処理回路は、
第１のＢＷＰの使用から第２のＢＷＰに切り替えるためのインジケーションを受信することと、
前記第２のＢＷＰの使用への切り替えの後に、前記第２のＢＷＰに対応する、所定のデフォルト設定を、１つ以上の物理レイヤパラメータ及び／又は手順に適用することと、
を行うように構成されている、無線デバイス。
【請求項１９】
請求項１８に記載の無線デバイス（50）であって、前記所定のデフォルト設定は、複数の所定のデフォルト設定のうちの１つであり、前記複数の所定のデフォルト設定のそれぞれは、前記以前に設定されたＢＷＰのそれぞれに一意に対応する、無線デバイス。
【請求項２０】
請求項１８に記載の無線デバイス（50）であって、前記所定のデフォルト設定は、前記第２のＢＷＰを含む、前記以前に設定されたＢＷＰのうちの２つ以上に対応する共通のデフォルト設定である、無線デバイス。
【請求項２１】
請求項１８乃至２０のいずれか１項に記載の無線デバイス（50）であって、前記所定のデフォルト設定は、前記第２のＢＷＰの使用への切り替えに応じて直ちに適用される、無線デバイス。
【請求項２２】
請求項１８乃至２０のいずれか１項に記載の無線デバイス（50）であって、前記処理回路（52）は、
前記第２のＢＷＰの使用への切り替えに応じて、１つ以上の物理レイヤ手順の動作を停止することと、
前記第２のＢＷＰのための前記停止された１つ以上の物理レイヤ手順をアクティブ化及び／又は設定するコマンドの受信のために、所定の時間、待機することと、
前記所定の時間内に、前記第２のＢＷＰのための前記停止された１つ以上の物理レイヤ手順をアクティブ化及び／又は設定するコマンドを受信することに失敗したことに応じて、前記所定のデフォルト設定を適用することと、
を行うように構成されている、無線デバイス。
【請求項２３】
請求項１８乃至２０のいずれか１項に記載の無線デバイス（50）であって、前記処理回路（52）は、
前記第２のＢＷＰの使用への切り替えに応じて、前記第２のＢＷＰのための物理レイヤパラメータ及び／又は手順が以前に、前記第２のＢＷＰの以前の使用中にメディアアクセス制御（ＭＡＣ）制御エレメント（ＣＥ）によって設定されたかどうかを判定することと、
前記第２のＢＷＰのための前記物理レイヤパラメータ及び／又は手順が以前に、前記第２のＢＷＰの以前の使用中にＭＡＣ ＣＥによって設定されていないと判定したことに応じて、前記所定のデフォルト設定を適用することと、
を行うように構成されている、無線デバイス。
【請求項２４】
請求項１８乃至２０のいずれか１項に記載の無線デバイス（50）であって、前記処理回路（52）は、
前記第２のＢＷＰの使用への切り替えに応じて、前記第２のＢＷＰのための物理レイヤパラメータ及び／又は手順が以前に、前記第２のＢＷＰの以前の使用中であって、かつ、前記切り替えより前の所定のインターバル内に、メディアアクセス制御（ＭＡＣ）制御エレメント（ＣＥ）によって設定されたかどうかを判定することと、
前記第２のＢＷＰのための前記物理レイヤパラメータ及び／又は手順が以前に、前記第２のＢＷＰの以前の使用中であって、かつ、所定のインターバル内に、ＭＡＣ ＣＥによって設定されていないと判定したことに応じて、前記所定のデフォルト設定を適用することと、
を行うように構成されている、無線デバイス。
【請求項２５】
請求項１８乃至２０のいずれか１項に記載の無線デバイス（50）であって、前記処理回路（52）は、
前記第２のＢＷＰの使用への切り替えに応じて、前記第２のＢＷＰのための物理レイヤパラメータ及び／又は手順が以前に、アクティブからアイドルへの状態の変化もハンドオーバも無しで生じた前記第２のＢＷＰの以前の使用の間に、メディアアクセス制御（ＭＡＣ）制御エレメント（ＣＥ）によって設定されたかどうかを判定することと、
前記第２のＢＷＰのための物理レイヤパラメータ及び／又は手順が以前に、アクティブからアイドルへの状態の変化もハンドオーバも無しで生じた前記第２のＢＷＰの以前の使用の間に、ＭＡＣ ＣＥによって設定されていないと判定したことに応じて、前記所定のデフォルト設定を適用することと、
を行うように構成されている、無線デバイス。
【請求項２６】
請求項１８乃至２２のいずれか１項に記載の無線デバイス（50）であって、前記処理回路（52）は、
前記所定のデフォルト設定を適用した後に、前記第２のＢＷＰのための１つ以上の物理レイヤ手順をアクティブ化及び／又は設定するコマンドを受信することと、
前記受信されたコマンドに従って前記１つ以上の物理レイヤ手順を実行することと、
を行うように構成されている、無線デバイス。
【請求項２７】
以前に設定された２つ以上の帯域幅部分（ＢＷＰ）のうちの１つで選択的に動作するように構成された無線デバイス（50）であって、各ＢＷＰは、アップリンク及び／又はダウンリンク動作のために使用可能な帯域幅のうちの異なるサブセットであり、前記無線デバイス（50）は、
無線通信ネットワークのネットワークノード（30）と通信するように構成されたトランシーバ回路（56）と、
前記トランシーバ回路（56）と動作可能に関連付けられた処理回路（52）と、を備え、当該処理回路は、
第１のＢＷＰの使用から第２のＢＷＰに切り替えるためのインジケーションを受信することと、
前記第２のＢＷＰのための物理レイヤパラメータ及び／又は手順が以前に、前記第２のＢＷＰの以前の使用中にメディアアクセス制御（ＭＡＣ）制御エレメント（ＣＥ）によって設定されたかどうかを判定することと、
前記第２のＢＷＰのための前記物理レイヤパラメータ及び／又は手順が以前に、前記第２のＢＷＰの以前の使用中にＭＡＣ ＣＥによって設定されたと判定したことに応じて、前記第２のＢＷＰのための前記以前に設定された物理レイヤパラメータ及び／又は手順を適用することと、
を行うように構成されている、無線デバイス。
【請求項２８】
請求項２７に記載の無線デバイス（50）であって、前記処理回路（52）は、前記第２のＢＷＰのための当該以前に設定された物理レイヤパラメータ及び／又は手順が、前記第１のＢＷＰから前記第２のＢＷＰの使用への切り替えより前の所定の時間インターバル内に設定されたと判定することを更に条件として、前記第２のＢＷＰのための前記以前に設定された物理レイヤパラメータ及び／又は手順を適用するように構成されている、無線デバイス。
【請求項２９】
請求項２７に記載の無線デバイス（50）であって、前記処理回路（52）は、前記第２のＢＷＰのための当該以前に設定された物理レイヤパラメータ及び／又は手順が設定されてから、アクティブ状態からアイドル状態への変化及び／又はハンドオーバが生じていないと判定することを更に条件として、前記第２のＢＷＰのための前記以前に設定された物理レイヤパラメータ及び／又は手順を適用するように構成されている、無線デバイス。
【請求項３０】
以前に設定された２つ以上の帯域幅部分（ＢＷＰ）のうちの１つで選択的に動作するように構成された無線デバイス（50）であって、各ＢＷＰは、アップリンク及び／又はダウンリンク動作のために使用可能な帯域幅のうちの異なるサブセットであり、前記無線デバイス（50）は、
無線通信ネットワークのネットワークノード（30）と通信するように構成されたトランシーバ回路（56）と、
前記トランシーバ回路（56）と動作可能に関連付けられた処理回路（52）と、を備え、当該処理回路は、
第１のＢＷＰの使用から第２のＢＷＰに切り替えるためのインジケーションを受信することと、
前記第２のＢＷＰの使用への切り替えに応じて、１つ以上の物理レイヤ手順の動作を停止することであって、前記第２のＢＷＰのための当該停止された１つ以上の物理レイヤ手順をアクティブ化及び／又は設定するコマンドの受信時まで停止することと、
を行うように構成されている、無線デバイス。
【請求項３１】
以前に設定された２つ以上の帯域幅部分（ＢＷＰ）のうちの１つで選択的に動作するように構成された無線デバイス（50）であって、各ＢＷＰは、アップリンク及び／又はダウンリンク動作のために使用可能な帯域幅のうちの異なるサブセットであり、前記無線デバイス（50）は、
無線通信ネットワークのネットワークノード（30）と通信するように構成されたトランシーバ回路（56）と、
前記トランシーバ回路（56）と動作可能に関連付けられた処理回路（52）と、を備え、当該処理回路は、
第１のＢＷＰの使用から第２のＢＷＰに切り替えるためのインジケーションを受信することと、
前記第２のＢＷＰの使用への切り替えに応じて、１つ以上の物理レイヤ手順の動作を停止し、かつ、前記第２のＢＷＰのための当該停止された１つ以上の物理レイヤ手順をアクティブ化及び／又は設定するコマンドの受信のために、所定の時間、待機することと、
前記所定の時間内に、前記第２のＢＷＰのための前記停止された１つ以上の物理レイヤ手順をアクティブ化及び／又は設定するコマンドを受信することに失敗したことに応じて、前記以前に設定された２つ以上のＢＷＰのうちのデフォルトＢＷＰの使用に切り替え、かつ、当該デフォルトＢＷＰに対応する、所定のデフォルト設定を、１つ以上の物理レイヤパラメータ及び／又は手順に適用することと、
を行うように構成されている、無線デバイス。
【請求項３２】
請求項１８乃至３１のいずれか１項に記載の無線デバイス（50）であって、前記１つ以上の物理レイヤパラメータ及び／又は手順は、
チャネル状態情報（ＣＳＩ）報告、
干渉測定報告、及び
サウンディング参照信号（ＳＲＳ）設定パラメータ、
のうちの任意の１つ以上を含む、無線デバイス。
【請求項３３】
以前に設定された２つ以上の帯域幅部分（ＢＷＰ）のうちの１つで選択的に動作するように構成された無線デバイス（50）にサービスを行うように構成されたネットワークノード（30）であって、各ＢＷＰは、アップリンク及び／又はダウンリンク動作のために使用可能な帯域幅のうちの異なるサブセットであり、前記ネットワークノード（30）は、
前記無線デバイス（50）と通信するように構成されたトランシーバ回路（36）と、
前記トランシーバ回路（36）と動作可能に関連付けられた処理回路（32）と、を備え、当該処理回路は、
第１のＢＷＰの使用から第２のＢＷＰに切り替えるためのインジケーションを、前記無線デバイス（50）へ送信することと、
前記第２のＢＷＰの使用中に前記無線デバイス（50）から予期されるが受信されなかった物理レイヤ報告の数をカウントすることと、
前記数が所定の限界に達したことに応答して、前記第２のＢＷＰについての物理レイヤ報告を設定するための、１つ以上のメディアアクセス制御（ＭＡＣ）制御エレメント（ＣＥ）を送信することと、
を行うように構成されている、ネットワークノード。
【請求項３４】
請求項３３に記載のネットワークノード（30）であって、前記処理回路（32）は、前記第１のＢＷＰの使用から前記第２のＢＷＰに切り替えるための前記インジケーションの送信後に、前記第２のＢＷＰについての物理レイヤ報告を設定するための１つ以上の第１のＭＡＣ ＣＥを送信するように構成されており、前記カウントすることは、前記１つ以上の第１のＭＡＣ ＣＥを送信することに応じて始まる、ネットワークノード。
【請求項３５】
請求項１乃至１５のいずれか１項に記載の方法（800, 900, 1000, 1100）を実行するように構成された無線デバイス（50）。
【請求項３６】
請求項１６又は１７に記載の方法（600）を実行するように構成されたネットワークノード（30）。
【請求項３７】
少なくとも１つの処理回路（32, 52）で実行されると当該少なくとも１つの処理回路（32, 52）に、請求項１乃至１７のいずれか１項に記載の方法（600, 800, 900, 1000, 1100）を実行させる命令を含む、コンピュータプログラム製品（46, 66）。
【請求項３８】
請求項３７に記載のコンピュータプログラム製品（46, 66）を含むキャリアであって、前記キャリアは、電気信号、光信号、無線信号、又はコンピュータ読取可能可読記憶媒体（44, 64）のうちの１つである、キャリア。
【発明の詳細な説明】
【技術分野】
【０００１】
本開示は、全体として、無線ネットワーク通信の分野に関し、より具体的には、２つ以上の以前に構成された帯域幅部分（ＢＷＰ）のうちの１つで選択的に動作するように構成された無線デバイスに関し、各ＢＷＰはアップリンク動作及び／又はダウンリンク動作のために利用可能な帯域幅の異なるサブセットである。
【背景技術】
【０００２】
帯域幅部分（ＢＷＰ）
帯域幅アダプテーション（ＢＡ：Bandwidth Adaptation）では、ユーザ装置（ＵＥ）の受信帯域幅及び送信帯域幅は、セルの帯域幅ほど大きくなくてもよく、調整可能である。その幅は、（例えば、電力の節約のために低いアクティビティの期間中に縮小するために）変更するように順序付け可能であり、そのロケーションは、（例えば、スケジューリングの柔軟性を高めるために）周波数領域において移動可能であり、そのサブキャリア間隔は、（例えば、異なるサービスを可能にするために）変更するように順序付け可能である。セルの全セル帯域幅のサブセットは、帯域幅部分（ＢＷＰ：Bandwidth Part）と称され、ＢＡは、ＵＥに複数のＢＷＰを設定し、当該設定されたＢＷＰのうちのどれが現在アクティブであるかをＵＥに伝えることによって達成される。
【０００３】
図１は、３つの異なるＢＷＰが設定された帯域幅部分のシナリオの一例を示し、ＢＷＰ1は４０ＭＨｚの幅及び１５ｋＨｚのサブキャリア間隔を有し、ＢＷＰ2は１０ＭＨｚの幅及び１５ｋＨｚのサブキャリア間隔を有し、ＢＷＰ3は２０ＭＨｚの幅及び６０ｋＨｚのサブキャリア間隔を有する。
【０００４】
プライマリセル（ＰＣｅｌｌ）上のＢＡを可能にするために、ｇＮＢは、アップリンクＢＷＰ及びダウンリンクＢＷＰをＵＥに設定する。セカンダリセル（ＳＣｅｌｌ）上のＢＡを可能にするために、キャリアアグリゲーション（ＣＡ）が使用中である場合、ｇＮＢは、ＳＣｅｌｌ上の少なくともダウンリンクＢＷＰをＵＥに設定する。言い換えると、いくつかの場合では、アップリンクＢＷＰが存在しないことがある。ＰＣｅｌｌの場合、初期ＢＷＰは、初期アクセスに使用されるＢＷＰである。ＳＣｅｌｌの場合、初期ＢＷＰは、ＵＥがＳＣｅｌｌのアクティブ化時に最初に動作するように設定されたＢＷＰである。
【０００５】
周波数分割複信（ＦＤＤ）動作では、ダウンリンク及びアップリンクのＢＷＰは、互いに独立して切り替えられうる。時分割複信（ＴＤＤ）動作では、ダウンリンク及びアップリンクのＢＷＰは、同時に切り替えられる。設定されたＢＷＰ間の切り替えは、ダウンリンク制御情報（ＤＣＩ）又は非アクティビティタイマー（Ｌ１シグナリング）を用いて行われる。非アクティビティタイマーがサービングセルのために設定される場合、そのセルに関連する非アクティビティタイマーの満了により、アクティブなＢＷＰがデフォルトのものに切り替えられる。デフォルトＢＷＰがサービングセルに対して明示的に設定されていない場合、初期ＢＷＰが、当該サービングセルに対してデフォルトＢＷＰの役割を担う。
【０００６】
ＢＡが設定される場合に合理的なＵＥバッテリ消費を可能にするために、他の全てのＵＥに設定される他の全てのＢＷＰは非アクティブ化され、一度に１つのＢＷＰペアのみがアクティブにされうる。非アクティブ化されたＢＷＰでは、ＵＥは、物理ダウンリンク制御チャネル（ＰＤＣＣＨ）をモニタリングせず、物理アップリンク制御チャネル（ＰＵＣＣＨ）、物理ランダムアクセスチャネル（ＰＲＡＣＨ）、及びアップリンク共有チャネル（ＵＬ−ＳＣＨ）で送信しない。
【０００７】
ＭＡＣ制御エレメント（ＭＡＣ ＣＥ）
ＭＡＣ制御エレメント（ＭＡＣ ＣＥ）は、ＵＥとネットワークとの間でやりとりされるＭＡＣレイヤ内の制御コマンドである。制御情報を運ぶこれらの特別なＭＡＣ構成は、ＭＡＣヘッダの論理チャネルＩＤ（ＬＣＩＤ）フィールド（３ＧＰＰ ＴＳ３８．３２１を参照）内に特別なビット列として実装される。ダウンリンクＭＡＣにはいくつかのＭＡＣ ＣＥがあり、アップリンクＭＡＣにもいくつかのＭＡＣ ＣＥがある。
【０００８】
ネットワークは、ＣＳＩ−ＲＳリソースＭＡＣ制御エレメントのアクティブ化／非アクティブ化（Activation/Deactivation）を送信することによって、サービングセルの、設定されたチャネル状態情報参照信号（ＣＳＩ−ＲＳ）リソースをアクティブ化及び非アクティブ化しうる。
【０００９】
物理アップリンク共有チャネル（ＰＵＳＣＨ）上でのセミパーシステント報告のために、セミパーシステントＣＳＩ報告設定のセットが上位レイヤによって設定され、ＤＣＩコマンド内のＣＳＩ要求フィールドが、セミパーシステントＣＳＩ報告のうちの１つをアクティブ化する。
【００１０】
ＰＵＣＣＨ上のセミパーシステント報告のために、セミパーシステントＣＳＩ報告設定のセットが、上位レイヤによって、ＣＳＩ報告を送信するために使用されるＰＵＣＣＨリソースを用いて設定される。ＰＵＣＣＨ上のセミパーシステント報告は、ＭＡＣ ＣＥアクティブ化コマンドによってアクティブ化され、当該コマンドは、ＰＵＣＣＨ上でＵＥによって使用されるセミパーシステントＣＳＩ報告設定のうちの１つを選択する。
【００１１】
「セミパーシステント」に設定された上位レイヤパラメータResourceConfigTypeを有するＵＥが、スロットｎにおいて、設定されたＣＳＩリソース設定に関連付けられた、チャネル測定用のＣＳＩ−ＲＳリソースについてのＭＡＣ ＣＥアクティブ化コマンドと、干渉測定用のＣＳＩ干渉測定（ＩＭ：interference measurement）／非ゼロ電力（ＮＺＰ：non-zero power）ＣＳＩ−ＲＳリソースとを受信した場合、３ＧＰＰ ＴＳ３８．３２１における対応するアクションと、設定されたＣＳＩ−ＲＳ／ＣＳＩ−ＩＭリソース設定に対応するＣＳＩ−ＲＳ／ＣＳＩ−ＩＭ送信に関するＵＥ仮定（TCI-RS-SetConfigへの参照によって提供される準コロケーション仮定を含む）とが、３ＧＰＰ ＴＳ３８．１３３で規定された最小要求条件より遅くならずに適用されなければならない。ＵＥが、スロットｎにおいて、設定されたＣＳＩリソース設定に関連付けられた、アクティブ化されたＣＳＩ−ＲＳ／ＣＳＩ−ＩＭリソースについて３ＧＰＰ ＴＳ３８．３２１に記載されているようなＭＡＣ ＣＥ非アクティブ化コマンドを受信した場合、３ＧＰＰ ＴＳ３８．３２１における対応するアクションと、非アクティブ化されたＣＳＩ−ＲＳ／ＣＳＩ−ＩＭリソースに対応するＣＳＩ−ＲＳ／ＣＳＩ−ＩＭ送信の停止に関するＵＥ仮定とが、３ＧＰＰ ＴＳ３８．１３３で規定された最小要求条件より遅くならずに適用されなければならない。ＵＥは、チャネル測定用のＣＳＩ−ＲＳリソース及び干渉測定用のＣＳＩ−ＩＭ/ＮＺＰ ＣＳＩ−ＲＳリソースが、空間的に準同一位置にあると仮定しうる。同様の手順が、サウンディング参照信号（ＳＲＳ）リソース及び送信設定インジケーション（ＴＣＩ：transmission configuration indication）状態を設定する際（即ち、アンテナポート擬似コロケーションのため）にも適用されうることに留意する価値がある。
【００１２】
５Ｇ ＮＲでは、ＭＡＣ ＣＥコマンドが、ＰＤＳＣＨ及びＰＵＳＣＨ関連手順のために使用される。例えば、ＵＥは、検出されたＰＤＣＣＨに従ってＰＤＳＣＨを復号するために、最大Ｍ個のＴＣＩ状態（TCI-State）のための上位レイヤシグナリングを用いて設定されてもよく、ＤＣＩはＵＥ及び所与のサービングセルを対象とし、ＭはＵＥ能力に依存する。これらのＴＣＩ状態がどのように設定されてアクティブ化されるかは、最大８個のＴＣＩ状態をＤＣＩフィールドＴＣＩ状態のコードポイントにマッピングするために使用される（即ち、３ＧＰＰ ＴＳ３８．３２１における）ＭＡＣ ＣＥコマンドを通じて実行される。
【００１３】
更に、セミパーシステントＣＳＩ報告は、ＭＡＣ ＣＥコマンドを通じてアクティブ化／非アクティブ化されうる。実際、ＣＳＩ報告のトリガ状態は、いずれかの候補ダウンリンクＢＷＰに関連付けられうる。しかしながら、ＵＥは、非アクティブなダウンリンクＢＷＰのためのＣＳＩ報告でトリガされることは期待されない。また、ＵＥは、各ＢＷＰにリンクされた１つ以上のＳＲＳが設定されうる。
【００１４】
ＵＥは、全セル帯域幅の一部のみを使用する動作のために設定されてもよく、これは、ＢＷＰと称される。サポートされるＢＷＰの最大個数は現在、４である。ＢＷＰの各々について異なるＰＤＳＣＨ及びＰＵＳＣＨ手が設定されてもよい。しかしながら、ＵＥが１つのＢＷＰから別のＢＷＰに切り替えるように設定されている場合（これはＬ１シグナリングを通じて行われる）、ＭＡＣ ＣＥコマンドを使用することによってアクティブ化／非アクティブ化されるので、設定された物理レイヤ手順及び関連するパラメータに関してアライメント問題が生じる可能性がある。
【００１５】
現在、ＮＲの標準化において、ＢＷＰの使用に関する未解決の問題は、ＭＡＣ ＣＥコマンドを介して制御される、例えばＣＳＩ−ＲＳ及びＳＲＳに関する、種々の物理レイヤ手順／パラメータに関連する動作と、ＢＷＰスイッチングとの間の関係である。これまでのところ、これらのＭＡＣ ＣＥ制御パラメータ及び手順は、単一のＢＷＰに関連付けられている。現在アクティブなＢＷＰを切り替えるようにＵＥが指示された場合、それ以前にアクティブ化されたＣＳＩ−ＲＳ報告又はＳＲＳ設定が、新たな「アクティブ」ＢＷＰに対して無効でありうる。更に、ＵＥは、もはやアクティブではないＢＷＰにＰＨＹ報告を送信することを許可されず、それ故に、ＵＥが新たなＢＷＰに切り替えると、ＰＨＹ報告がネットワークによって受信されないことも起こりうる。したがって、現在の「アクティブ」ＢＷＰと、以前の「アクティブ」ＢＷＰに対して設定された物理レイヤ手順との間のミスアラインメントの結果として、ＵＥがネットワークに無効な報告を提供しうる。この問題は、ＭＡＣ ＣＥによって切り替えが行われうる物理的手順／パラメータのいずれか又は全てに当てはまりうる。
【発明の概要】
【００１６】
アクティブＢＷＰ及び関連する物理レイヤ設定のミスアライメントは、準最適な性能及び可能性のある誤った挙動をもたらす。本発明の実施形態は、アクティブＢＷＰと関連する物理レイヤ手順との間の、ＢＷＰ切り替えに起因して生じうるこのミスアライメントを防止する。これにより、期待されるレベルにＮＲ性能を維持する。
【００１７】
本開示の技術によれば、ＵＥが（ネットワークからのＬ１シグナリングを通じて）１つのアクティブＢＷＰから別のものに切り替える際に、ＭＡＣ ＣＥの変更が意図されなければ、３つの可能性のあるアクションが実行されうる。ＢＷＰ切り替えインジケーションを受信すると、ＵＥは、ネットワークから新たなＭＡＣ ＣＥを受信するまで、（例えば、ＲＲＣ再設定／ＲＲＣ再開／ＲＲＣコネクションセットアップで）以前に無線リソース制御（ＲＲＣ）メッセージを用いて知らされたとおりの、当該ＢＷＰのための物理レイヤ手順及び関連パラメータについてのデフォルトＢＷＰ設定に戻る。ＢＷＰ切り替えインジケーションを受信すると、ＵＥは、（例えば、ＣＳＩ−ＲＳ、ＳＲＳに関する）ＭＡＣ ＣＥを介して以前に設定された物理レイヤ手順を停止し、かつ、新たなＭＡＣ ＣＥがネットワークによって送信されるのを待つ。このアプローチの変形では、ＵＥは、ＢＷＰ切り替えインジケーションを受信するとタイマーを開始し、当該タイマーが満了する前にＭＡＣ ＣＥが受信されない場合、ＵＥは、ネットワークから新たなＭＡＣ ＣＥを受信するまで、当該ＢＷＰのためのＰＨＹレイヤパラメータ及び／又は手順についてのデフォルトＢＷＰ設定に戻る。ＢＷＰ切り替えインジケーションを受信すると、ＵＥは、新たにアクティブなＢＷＰを、当該ＵＥが最後に使用した際に適用された物理手順設定に戻る。
【００１８】
いくつかの実施形態によれば、以前に設定された２つ以上のＢＷＰのうちの１つで選択的に動作するように構成された無線デバイス（例えば、ＵＥ）における方法が提供され、各ＢＷＰは、アップリンク及び／又はダウンリンク動作のために使用可能な帯域幅のうちの異なるサブセットである。本方法は、第１のＢＷＰの使用から第２のＢＷＰに切り替えるためのインジケーションを受信することと、第２のＢＷＰの使用への切り替えの後に、第２のＢＷＰに対応する、所定のデフォルト設定を、１つ以上の物理レイヤパラメータ及び／又は手順に適用することと、を含む。
【００１９】
いくつかの実施形態によれば、以前に設定された２つ以上のＢＷＰのうちの１つで選択的に動作するように構成された無線デバイスにおける方法が提供され、各ＢＷＰは、アップリンク及び／又はダウンリンク動作のために使用可能な帯域幅のうちの異なるサブセットである。本方法は、第１のＢＷＰの使用から第２のＢＷＰに切り替えるためのインジケーションを受信することと、第２のＢＷＰのための物理レイヤパラメータ及び／又は手順が以前に、第２のＢＷＰの以前の使用中にＭＡＣ ＣＥによって設定されたかどうかを判定することと、を含む。本方法は、第２のＢＷＰのための物理レイヤパラメータ及び／又は手順が以前に、第２のＢＷＰの以前の使用中にＭＡＣ ＣＥによって設定されたと判定したことに応じて、第２のＢＷＰのための以前に設定された物理レイヤパラメータ及び／又は手順を適用することを含む。
【００２０】
いくつかの実施形態によれば、以前に設定された２つ以上のＢＷＰのうちの１つで選択的に動作するように構成された無線デバイスにおける方法が提供され、各ＢＷＰは、アップリンク及び／又はダウンリンク動作のために使用可能な帯域幅のうちの異なるサブセットである。本方法は、第１のＢＷＰの使用から第２のＢＷＰに切り替えるためのインジケーションを受信することと、第２のＢＷＰの使用への切り替えに応じて、１つ以上の物理レイヤ手順の動作を停止することであって、第２のＢＷＰのための当該停止された１つ以上の物理レイヤ手順をアクティブ化及び／又は設定するコマンドの受信時まで停止することと、を含む。
【００２１】
いくつかの実施形態によれば、以前に設定された２つ以上のＢＷＰのうちの１つで選択的に動作するように構成された無線デバイスにおける方法が提供され、各ＢＷＰは、アップリンク及び／又はダウンリンク動作のために使用可能な帯域幅のうちの異なるサブセットである。いくつかの実施形態によれば、本方法は、第１のＢＷＰの使用から第２のＢＷＰに切り替えるためのインジケーションを受信することと、第２のＢＷＰの使用への切り替えに応じて、１つ以上の物理レイヤ手順の動作を停止し、かつ、第２のＢＷＰのための当該停止された１つ以上の物理レイヤ手順をアクティブ化及び／又は設定するコマンドの受信のために、所定の時間、待機することと、を含む。本方法は更に、当該所定の時間内に、第２のＢＷＰのための停止された１つ以上の物理レイヤ手順をアクティブ化及び／又は設定するコマンドを受信することに失敗したことに応じて、以前に設定された２つ以上のＢＷＰのうちのデフォルトＢＷＰの使用に切り替えることと、当該デフォルトＢＷＰに対応する、所定のデフォルト設定を、１つ以上の物理レイヤパラメータ及び／又は手順に適用することと、を含む。
【００２２】
以前に設定された２つ以上のＢＷＰのうちの１つで選択的に動作するように構成された無線デバイスにサービスを行うネットワークノードにおける方法は、ここで、各ＢＷＰは、アップリンク及び／又はダウンリンク動作のために使用可能な帯域幅のうちの異なるサブセットであり、第１のＢＷＰの使用から第２のＢＷＰに切り替えるためのインジケーションを、無線デバイスへ送信することと、第２のＢＷＰの使用中に無線デバイスから予期されるが受信されなかった物理レイヤ報告の数をカウントすることと、を含む。本方法は、上記の数が所定の限界に達したことに応答して、第２のＢＷＰについての物理レイヤ報告を設定するための１つ以上のＭＡＣ ＣＥを送信することを含む。
【００２３】
いくつかの実施形態によれば、以前に設定された２つ以上のＢＷＰのうちの１つで選択的に動作するように構成された無線デバイスであって、各ＢＷＰは、アップリンク及び／又はダウンリンク動作のために使用可能な帯域幅のうちの異なるサブセットである、無線デバイスは、無線通信ネットワークのネットワークノードと通信するように構成されたトランシーバ回路と、トランシーバ回路と動作可能に関連付けられた処理回路と、を備える。処理回路は、第１のＢＷＰの使用から第２のＢＷＰに切り替えるためのインジケーションを受信し、第２のＢＷＰの使用への切り替えの後に、第２のＢＷＰに対応する、所定のデフォルト設定を、１つ以上の物理レイヤパラメータ及び／又は手順に適用するように構成される。
【００２４】
いくつかの実施形態によれば、以前に設定された２つ以上のＢＷＰのうちの１つで選択的に動作するように構成された無線デバイスであって、各ＢＷＰは、アップリンク及び／又はダウンリンク動作のために使用可能な帯域幅のうちの異なるサブセットである、無線デバイスは、無線通信ネットワークのネットワークノードと通信するように構成されたトランシーバ回路と、トランシーバ回路と動作可能に関連付けられた処理回路と、を備える。処理回路は、第１のＢＷＰの使用から第２のＢＷＰに切り替えるためのインジケーションを受信し、第２のＢＷＰのための物理レイヤパラメータ及び／又は手順が以前に、第２のＢＷＰの以前の使用中にＭＡＣ ＣＥによって設定されたかどうかを判定するように構成される。処理回路は更に、第２のＢＷＰのための物理レイヤパラメータ及び／又は手順が以前に、第２のＢＷＰの以前の使用中にＭＡＣ ＣＥによって設定されたと判定したことに応じて、第２のＢＷＰのための以前に設定された物理レイヤパラメータ及び／又は手順を適用するように構成される。
【００２５】
いくつかの実施形態によれば、以前に設定された２つ以上のＢＷＰのうちの１つで選択的に動作するように構成された無線デバイスであって、各ＢＷＰは、アップリンク及び／又はダウンリンク動作のために使用可能な帯域幅のうちの異なるサブセットである、無線デバイスは、無線通信ネットワークのネットワークノードと通信するように構成されたトランシーバ回路と、トランシーバ回路と動作可能に関連付けられた処理回路と、を備える。処理回路は、第１のＢＷＰの使用から第２のＢＷＰに切り替えるためのインジケーションを受信し、第２のＢＷＰの使用への切り替えに応じて、１つ以上の物理レイヤ手順の動作を停止することであって、第２のＢＷＰのための当該停止された１つ以上の物理レイヤ手順をアクティブ化及び／又は設定するコマンドの受信時まで停止することを行うように構成される。
【００２６】
いくつかの実施形態によれば、以前に設定された２つ以上のＢＷＰのうちの１つで選択的に動作するように構成された無線デバイスであって、各ＢＷＰは、アップリンク及び／又はダウンリンク動作のために使用可能な帯域幅のうちの異なるサブセットである、無線デバイスは、無線通信ネットワークのネットワークノードと通信するように構成されたトランシーバ回路と、トランシーバ回路と動作可能に関連付けられた処理回路と、を備える。処理回路は、第１のＢＷＰの使用から第２のＢＷＰに切り替えるためのインジケーションを受信し、第２のＢＷＰの使用への切り替えに応じて、１つ以上の物理レイヤ手順の動作を停止し、かつ、第２のＢＷＰのための当該停止された１つ以上の物理レイヤ手順をアクティブ化及び／又は設定するコマンドの受信のために、所定の時間、待機するように構成される。処理回路は更に、当該所定の時間内に、第２のＢＷＰのための停止された１つ以上の物理レイヤ手順をアクティブ化及び／又は設定するコマンドを受信することに失敗したことに応じて、以前に設定された２つ以上のＢＷＰのうちのデフォルトＢＷＰの使用に切り替え、かつ、当該デフォルトＢＷＰに対応する、所定のデフォルト設定を、１つ以上の物理レイヤパラメータ及び／又は手順に適用するように構成される。
【００２７】
以前に設定された２つ以上のＢＷＰのうちの１つで選択的に動作するように構成された無線デバイスにサービスを行うように構成されたネットワークノードであって、各ＢＷＰは、アップリンク及び／又はダウンリンク動作のために使用可能な帯域幅のうちの異なるサブセットである、ネットワークノードは、無線デバイスと通信するように構成されたトランシーバ回路と、トランシーバ回路と動作可能に関連付けられた処理回路と、を備える。処理回路３２は、第１のＢＷＰの使用から第２のＢＷＰに切り替えるためのインジケーションを無線デバイスへ送信し、第２のＢＷＰの使用中に無線デバイスから予期されるが受信されなかった物理レイヤ報告の数をカウントするように構成される。処理回路は、上記の数が所定の限界に達したことに応答して、第２のＢＷＰについての物理レイヤ報告を設定するための１つ以上のＭＡＣ ＣＥを送信するように構成される。
【００２８】
本発明の更なる態様は、上記に要約された方法に対応する装置、コンピュータプログラム製品、又はコンピュータ読取可能記憶媒体、並びに、上記に要約された装置及び無線デバイスの機能的実装を対象とする。
【００２９】
当然ながら、本発明は上記の特徴及び利点に限定されるものではない。  当業者であれば、以下の詳細な説明を読み、添付の図面を見れば、更なる特徴及び利点を理解するであろう。
【図面の簡単な説明】
【００３０】
【図１】図１は、ＢＷＰシナリオの一例を示す。
【図２】図２は、いくつかの実施形態による、ＢＷＰ切り替え時に、ＵＥが、ＢＷＰのデフォルトＰＨＹレイヤ設定に戻る、シグナルフローの例を示す。
【図３】図３は、いくつかの実施形態による、ＢＷＰ切り替え時に、ＵＥが、ＰＨＹレイヤ手順を停止し、新たなＭＡＣ ＣＥを待つ、シグナルフローの例を示す。
【図４】図４は、いくつかの実施形態による、ＢＷＰ切り替え時に、ＵＥが、ＰＨＹレイヤ手順を停止し、タイマーの満了を使用してＢＷＰのデフォルトＰＨＹレイヤ設定に戻る、例示的な信号フローを示す。
【図５】図５は、いくつかの実施形態によるネットワークノードのブロック図を示す。
【図６】図６は、いくつかの実施形態による、ネットワークノードにおける方法のフロー図を示す。
【図７】図７は、いくつかの実施形態による、無線デバイスのブロック図を示す。
【図８】図８は、いくつかの実施形態による、無線デバイスにおける方法のフロー図を示す。
【図９】図９は、いくつかの実施形態による、無線デバイスにおける別の方法のフロー図を示す。
【図１０】図１０は、いくつかの実施形態による、無線デバイスにおける別の方法のフロー図を示す。
【図１１】図１１は、いくつかの実施形態による、無線デバイスにおける別の方法のフロー図を示す。
【図１２】図１２は、いくつかの実施形態による、中間ネットワークを介してホストコンピュータに接続された電気通信ネットワークを概略的に示す。
【図１３】図１３は、いくつかの実施形態による、部分的に無線コネクションを通じて基地局を介してユーザ装置と通信するホストコンピュータの、一般化されたブロック図である。
【図１４】、
【図１５】、
【図１６】、
【図１７】図１４〜図１７は、ホストコンピュータ、基地局及びユーザ装置を含む通信システムにおいて実行される方法の例を示すフローチャートである。
【図１８】図１８は、いくつかの実施形態による、ネットワークノードの機能的実装を示すブロック図である。
【図１９】、
【図２０】、
【図２１】、
【図２２】図１９〜図２２は、いくつかの実施形態による、無線デバイスの機能的実装を示すブロック図である。
【発明を実施するための形態】
【００３１】
以下、発明概念の実施形態の例が示されている添付の図面を参照して、本開示の例示的な実施形態をより十分に説明する。しかしながら、発明概念は、多くの異なる形態で具現化されてもよく、本明細書に記載された実施形態に限定されるものとして解釈されるべきではない。むしろ、これらの実施形態は、本開示が詳細かつ完全であり、本発明概念の範囲を当業者に十分に伝えるように提供される。また、これらの実施形態は、相互に排他的ではないことにも留意されたい。１つの実施形態からのコンポーネントは、別の実施形態において存在する／使用されると暗黙に想定されうる。
【００３２】
第３世代パートナシッププロジェクト（３ＧＰＰ）におけるＢＷＰ動作の標準化が進行中である。その仕様の一部として、ServingCellConfigCommon IEのような情報エレメント（ＩＥ）が、例えば、初期ダウンリンクＢＷＰを含む、ＵＥのサービングセルのセル固有パラメータを設定するために使用されうる。当該ＩＥは、アイドル（ＩＤＬＥ）からセルにアクセスする際に、ＵＥが典型的には標準信号ブロック（ＳＳＢ：Standard Signal Block）、マスタ情報ブロック（ＭＩＢ：Master Information Block）、又はシステム情報ブロック（ＳＩＢ：System Information Block）から取得するパラメータを含む。このＩＥを用いて、ネットワークは、この情報を、ＳＣｅｌｌ又は追加のセルグループ（ＳＣＧ）をＵＥに設定する際の個別シグナリングにおいて提供する。また、同期による再設定時に、特殊セル（ＳｐＣｅｌｌ：Special Cell）（マスターセルグループ及びセカンダリセルグループ）のためにそれを提供する。ServingCellConfig IEは、ＳｐＣｅｌｌ、又はＭＣＧ若しくはＳＣＧのＳＣｅｌｌでありうるサービングセルを、ＵＥに設定（追加又は修正）するために使用されうる。これには、初期ダウンリンクＢＷＰ（共通及び個別）、初期アップリンクＢＷＰ（共通及び個別）、最初のアクティブダウンリンクＢＷＰ、ＵＥがデフォルトＢＷＰにフォールバックするまでの継続時間又はタイマー、及びデフォルトダウンリンクＢＷＰを特定することが含まれうる。
【００３３】
BandwidthPart-Config IE情報エレメントには、ＢＷＰの設定が含まれる。このＩＥは、識別子、周波数領域ロケーション、及び帯域幅を含みうる。ロケーションは、ＢＷＰと同じサブキャリア間隔を有する最も低い使用可能サブキャリアに対する（物理リソースブロック数での）距離として与えられる。ＩＥは、物理チャネルに対して、共通か個別かにかかわらず、アップリンク及びダウンリンクのＢＷＰを特定しうる。条件も特定されうる。
【００３４】
ＭＡＣ ＣＥによってアクティブ化／非アクティブ化されるＰＨＹレイヤ手順は、ＢＷＰごとに変化しうる、セミパーシステントＣＳＩ−ＲＳ報告、手順及び／又はパラメータを含む。更に、ＵＥは、ＭＡＣ ＣＥを通じてＢＷＰごとに１つ以上のＳＲＳリソースを設定されうる。ＢＷＰごとにＵＥに設定されうる別の手順は、検出されたＰＤＣＣＨに従ってＰＤＳＣＨを復号するためのＴＣＩ状態（１つ以上）である。しかしながら、上述のように、ＢＷＰの切り替えが起こった際に、これらの手順と新たなアクティブＢＷＰとの間にミスアライメントが生じる可能性がある。更に、ＵＥは、もはやアクティブではないＢＷＰにＰＨＹ報告を送信することは許可されない。このため、いったん新たなＢＷＰに切り替わると、ＰＨＹ報告がネットワークによって受信されないことも起こりうる。本明細書で開示される技術は、この問題を解決しうるＵＥの挙動及び構成に対処する。
【００３５】
開示される実施形態のうちの１つでは、ＵＥは、可能性のある各ＢＷＰについて個別ベースで、又は全てのＢＷＰについて共通ベースで、ネットワークによってデフォルトＰＨＹレイヤ手順（例えば、ＣＳＩ−ＲＳ、ＳＲＳ報告）が設定される。
【００３６】
いくつかの実施形態では、デフォルト設定は、ＲＲＣを用いてシグナリングされうる。デフォルト設定を含みうる又は示しうるＲＲＣメッセージは、ＲＲＣ再設定、ＲＲＣ再開、又はＲＲＣコネクションセットアップメッセージでありうる。
【００３７】
これらの実施形態のいくつかでは、デフォルトＰＨＹレイヤ設定は、アクティブＢＷＰが、例えばＢＷＰａからＢＷＰｂに変更される際に直ちに適用されて使用されうる。このようにして、ＭＡＣ ＣＥによって設定される、新たなアクティブＢＷＰと、それ以前に設定されたＰＨＹレイヤ手順及び関連するパラメータとの、可能性のあるミスアライメントを回避できる。
【００３８】
本開示の技術による別のアプローチでは、ＵＥは、ＢＷＰのためのデフォルトＰＨＹレイヤ設定を有していないことがある。このアプローチによれば、ＵＥは、ＢＷＰ切り替え時に応じて、以前に設定されたＰＨＹレイヤ手順（即ち、ＭＡＣ ＣＥによってアクティブ化／非アクティブ化及び／又は設定された手順のうちの１つ以上）を停止し、新たなアクティブＢＷＰのための新たなＭＡＣ ＣＥコマンドを待ってもよい。
【００３９】
更に別のアプローチでは、ＵＥは、ＢＷＰ切り替えに応じて、タイマー（例えば、MacCeBWPTimer）を開始し、最大値に達し、かつ、ＵＥによって新たなＭＡＣ ＣＥコマンドが受信されていない場合に、ＵＥは、新たにアクティブなＢＷＰのためのデフォルトＰＨＹレイヤ設定に復帰する。あるいは、いくつかの実施形態では、ＵＥは、ＰＨＹレイヤのパラメータ又は手順を設定するＭＡＣ ＣＥコマンドを受信せずにタイマーが満了することに応じて、その関連するデフォルトＰＨＹレイヤの設定で、デフォルトＢＷＰに復帰しうる。あるいは、ＵＥは、（例えば、新たにアクティブなＢＷＰのためのデフォルト設定が存在しない場合）タイマーの満了に応じて、無線リンク障害（ＲＬＦ：Radio Link Failure）及び／又は再確立手順を適用しうる。
【００４０】
上記のＵＥベースの技術のいくつかと共に使用されうるネットワークベースのアプローチでは、ネットワークが、第１のＢＷＰ（例えば、「ＢＷＰａ」）から第２のＢＷＰ（例えば、「ＢＷＰｂ」）に切り替えるためにＤＣＩコマンドをＵＥに送信した後、又はネットワークが、ＭＡＣ ＣＥ内でＢＷＰｂのためのＰＨＹレイヤ設定を送信した場合、ネットワークは、受信されなかったＰＨＹレイヤ報告がカウントされるカウンタを開始しうる。ここで、ＰＨＹレイヤ報告には、ＣＳＩ−ＲＳ、ＳＲＳ、ＴＣＩ状態、又は他のＬ１情報が含まれうる。カウンタが最大値に達すると、ネットワークは。ＭＡＣ ＣＥを再送することで、新たなＢＷＰのためのＰＨＹレイヤ手順を設定する。
【００４１】
ある実施形態では、新たなＢＷＰのためのデフォルトＰＨＹレイヤ設定があるか否かにかかわらず、ＵＥは、以前に同じアクティブＢＷＰを使用していた場合、同じＢＷＰのために以前に（ＭＡＣ ＣＥによって）設定されたＰＨＹレイヤ手順及び関連するパラメータに復帰しうる。言い換えれば、同じＢＷＰのための以前のＭＡＣ ＣＥのインジケーション／設定は、次回の設定の際にデフォルトのＰＨＹレイヤ設定として再利用されうる。別の言い方をすれば、いくつかの実施形態では、所与のＢＷＰのためのＰＨＹレイヤ設定が作成されると、それが変更されるまでの間、そのＢＷＰのためのデフォルト設定と見なされうる。
【００４２】
この以前のアプローチによるいくつかの実施形態では、所与のＢＷＰのための以前の設定へのこの復帰は、例えば、ＵＥがアクティブからアイドル（又は非アクティブ）への状態遷移、及び他セル（又はＢＳ）へのハンドオーバ、又はこれらのいずれかを有していなかった場合に、一時的にのみ有効でありうる。これらの実施形態のうちのいくつかでは、ＵＥは、有効期間が利用可能である場合、この有効期間外の設定されたデフォルトに復帰しうる。
【００４３】
図２は、ＢＷＰ切り替え時に、ＵＥが、ＢＷＰのためのデフォルトＰＨＹレイヤ設定に復帰する、シグナリングフローを示す。図２に示す手順の例によれば、ＰＨＹレイヤ手順／パラメータのセットが設定され（ステップ１）、その後、それらのうちの１つがＭＡＣ ＣＥを介してアクティブ化されると（ステップ２）、ＵＥは、ＰＨＹレイヤ報告をネットワークに送信し始める。ＰＨＹレイヤ報告タイプは、ＣＳＩ−ＲＳ、ＳＲＳ、ＴＣＩ状態、又は他のＬ１情報の報告として設定されうる。更に、この報告は全て、単一のＢＷＰに対して設定されうる。
【００４４】
図示の例では、ステップ４に示すように、ネットワークが、「アクティブ」ＢＷＰを変更するためにＵＥへＤＣＩコマンド（Ｌ１シグナリング）を送信すると、ＵＥは、古いＢＷＰにリンクされているＰＨＹレイヤ報告に起因したミスアライメントを回避するために、ステップ５及び６に示すように、ＢＷＰ用のデフォルト設定に自律的に復帰する。ＢＷＰ用のデフォルト設定に復帰することは、このＢＷＰに関連するＰＨＹレイヤ手順／パラメータも使用されることを意味する。図示の手順では、ネットワークは、その後、ステップ７に示すように、ＭＡＣ ＣＥを介してＰＨＹレイヤ手順のセットを明示的にアクティブ化し、その後、ステップ８で、新たにアクティブ化された手順に従って、後続のＰＨＹレイヤ報告が実行される。
【００４５】
図３は、ＢＷＰ切り替え時に、ＵＥが、ＰＨＹレイヤ手順を停止し、新たなＭＡＣ ＣＥを待つ、シグナリングフローを示す。図３に示す手順の例によれば、ＰＨＹレイヤ手順／パラメータのセットが設定され（ステップ１）、その後、それらのうちの１つがＭＡＣ ＣＥを介してアクティブ化されると（ステップ２）、ＵＥは、ＰＨＹレイヤ報告をネットワークに送信し始める。ＰＨＹレイヤ報告には、ＣＳＩ−ＲＳ、ＳＲＳ、ＴＣＩ状態、又は他のＬ１情報が含まれうる。更に、これらの報告は全て、単一のＢＷＰに対して設定されうる。
【００４６】
図示の例では、ネットワークが、「アクティブ」ＢＷＰを変更するためにＤＣＩコマンドをＵＥへ送信すると（Ｌ１シグナリング）、ＵＥは、ステップ４に示すように、古いＢＷＰのために設定された全てのＰＨＹレイヤ手順を停止する。ネットワークは、ＢＷＰａからＢＷＰｂへの切り替えのためにＵＥへＤＣＩコマンドを送信した後、新たなＢＷＰのためのＰＨＹレイヤ手順を明示的に設定するためにＭＡＣ ＣＥも送信する。
【００４７】
いくつかの実施形態では、上述のように、ステップ４に示すように、ネットワークが「ＢＷＰａからＢＷＰｂへの切り替えのためにＵＥへＤＣＩコマンドを」送信した後、又はステップ６に示すように、ネットワークが「ＭＡＣ ＣＥ内のＢＷＰｂのためのＰＨＹレイヤ設定」を送信した場合、ネットワークは、受信されなかったＰＨＹレイヤ報告がカウントされるカウンタを開始しうる。ここで、ＰＨＹレイヤ報告には、ＣＳＩ−ＲＳ、ＳＲＳ、ＴＣＩ状態、又は他のＬ１情報が含まれうる。カウンタが最大値に達すると、ネットワークは。新たなＢＷＰのためのＰＨＹレイヤ手順を設定するためにＭＡＣ ＣＥを再送しうる。
【００４８】
図４は、ＢＷＰ切り替え時に、ＵＥが、ＰＨＹレイヤ手順を停止し、タイマーを開始する、シグナリングフローを示す。タイマーが満了すると、ＵＥは、ＢＷＰ用のデフォルトのＰＨＹレイヤ設定に復帰する。図４に示す手順の例によれば、ＰＨＹレイヤ手順／パラメータのセットが設定され（ステップ１）、その後、それらのうちの１つがＭＡＣ ＣＥを介してアクティブ化されると（ステップ２）、ＵＥは、ＰＨＹレイヤ報告をネットワークに送信し始める。ＰＨＹレイヤ報告には、ＣＳＩ−ＲＳ、ＳＲＳ、ＴＣＩ状態、又は他のＬ１情報が含まれうる。更に、この報告は全て、単一のＢＷＰに対して設定されうる。
【００４９】
図示の例では、ネットワークが、「アクティブ」ＢＷＰを変更するためにＤＣＩコマンドをＵＥへ送信すると（Ｌ１シグナリング）、ＵＥは、ステップ５に示すように、古いＢＷＰのために設定された全てのＰＨＹレイヤ手順を停止する。いくつかの実施形態では、ステップ６に示されるように、ＵＥは、待機タイマーを開始し、その期間中に、新たなＰＨＹレイヤ手順／パラメータを有するＭＡＣ ＣＥコマンドがネットワークによって受信されうる。このタイマーには、BWP-InactivityTimerが使用されうるか、又は新たなタイマー（例えば、MacCeBWPTimer）が設定されうる。
【００５０】
これらの実施形態では、ＵＥが新たなアクティブＢＷＰのためのＰＨＹレイヤ手順を有するＭＡＣ ＣＥコマンドを受信した場合、この設定に基づく新たな報告が適用される。あるいは、ＭＡＣ ＣＥが受信されず待機タイマーが満了した場合、（例えば、図４のステップ７に示されるように）ＵＥは、ＢＷＰ用のデフォルト設定に自律的に復帰する。ＢＷＰ用のデフォルト設定に復帰することは、このＢＷＰに関連するＰＨＹレイヤ手順も使用されることを意味する。あるいは（デフォルト設定が存在しない場合）、再確立手順がトリガされうる。
【００５１】
図５は、これらの開示された技術のうちの１つ以上を実行するように構成されうる、基地局等のネットワークノード３０を示す。基地局は、進化型ノードＢ（ｅＮｏｄｅＢ）、ノードＢ又はｇＮＢでありうる。これらの動作は、他の種類のネットワークノード又はリレーノードによって実行されてもよい。以下で説明する非限定的な実施形態では、ネットワークノード３０は、ＬＴＥネットワーク又はＮＲネットワークにおいてセルラネットワークアクセスノードとして動作するように構成されるものとして説明される。
【００５２】
当業者であれば、例えば、処理回路３２による実行のための適切なプログラム命令の修正及び／又は追加を通じて、本明細書で説明される方法及びシグナリングプロセスのうちの１つ以上を実行するように、各タイプのノードがどのように適合されうるかを容易に理解するであろう。
【００５３】
ネットワークノード３０は、無線端末、他のネットワークアクセスノード及び／又はコアネットワーク間の通信を支援する。ネットワークノード３０は、コアネットワーク内の他のノードと、無線ノードと、データ及び／又はセルラ通信サービスを提供するためのネットワーク内の他のタイプのノードとのうちの少なくともいずれかと通信するための回路を含む通信インタフェース回路３８を含みうる。ネットワークノード３０は、アンテナ３４及びトランシーバ回路３６を使用して無線デバイスと通信する。トランシーバ回路３６は、セルラ通信サービスを提供する目的で、無線アクセス技術に従って信号を送受信するように集合的に構成された送信回路、受信回路、及び関連する制御回路を含みうる。
【００５４】
ネットワークノード３０は更に、トランシーバ回路３６、及び場合によっては通信インタフェース回路３８に動作可能に関連付けられた１つ以上の処理回路３２を含む。処理回路３２は、１つ以上のデジタルプロセッサ４２（例えば、１つ以上のマイクロプロセッサ、マイクロコントローラ、デジタル信号プロセッサ（ＤＳＰ）、フィールドプログラマブルゲートアレイ（ＦＰＧＡ）、コンプレックスプログラマブルロジックデバイス（ＣＰＬＤ）、特定用途向け集積回路（ＡＳＩＣ）、又はそれらの任意の混合物）を含む。より一般的には、処理回路３２は、固定回路、又は本明細書で教示される機能を実装するプログラム命令の実行を介して特別に構成されるプログラマブル回路を含んでもよく、又は固定回路とプログラムされた回路との何らかの混合物を含んでもよい。プロセッサ４２は、マルチコアであってもよく、即ち、性能の向上、消費電力の低減、及び複数のタスクのより効率的な同時処理のために利用される２つ以上のプロセッサコアを有してもよい。
【００５５】
処理回路３２は更に、メモリ４４を含む。いくつかの実施形態において、メモリ４４は、１つ以上のコンピュータプログラム４６と、オプションとして設定データ４８とを格納する。メモリ４４は、コンピュータプログラム４６用の非一時的なストレージを提供し、ディスクストレージ、ソリッドステートメモリストレージ、又はそれらの任意の混合物等の、１つ以上のタイプのコンピュータ読取可能媒体を含みうる。ここで、「非一時的」とは、永続的、半永続的、又は少なくとも一時的に永続的なストレージを意味し、不揮発性メモリ内の長期ストレージと、例えばプログラムの実行のためのワーキングメモリ内のストレージとの両方を包含する。非限定的な例として、メモリ４４は、ＳＲＡＭ、ＤＲＡＭ、ＥＥＰＲＯＭ、及びフラッシュメモリのうちの任意の１つ以上を含み、これらは、処理回路３２内にあってもよいし、処理回路３２とは別個であってもよいし、又はその両方であってもよい。メモリ４４は更に、ネットワークアクセスノード３０によって使用される任意の設定データ４８を格納しうる。処理回路３２は例えば、メモリ４４に格納された適切なプログラムコードを使用することによって、以下に詳述する方法及び／又はシグナリングプロセスのうちの１つ以上を実行するように構成されうる。
【００５６】
いくつかの実施形態によれば、ネットワークノード３０の処理回路３２は、２つ以上の以前に設定されたＢＷＰのうちの１つで選択的に動作するように構成された無線デバイスにサービスを行うように構成され、各ＢＷＰはアップリンク動作及び／又はダウンリンク動作のために利用可能な帯域幅の異なるサブセットである。ネットワークノード３０の処理回路３２は更に、第１のＢＷＰの使用から第２のＢＷＰに切り替えるためのインジケーションを無線デバイスへ送信し、第２のＢＷＰの使用中に無線デバイスから予期されるが受信されなかった物理レイヤ報告の数をカウントするように構成される。処理回路３２は、上記の数が所定の限界に達したことに応答して、第２のＢＷＰについての物理レイヤ報告を設定するための１つ以上のＭＡＣ ＣＥを送信するように構成される。
【００５７】
ネットワークノード３０の処理回路３２は、図６に示すように、対応する方法６００を実行するように構成されてもよい。方法６００は、第１のＢＷＰの使用から第２のＢＷＰに切り替えるためのインジケーションを無線デバイスへ送信することと（ブロック６０２）、第２のＢＷＰの使用中に無線デバイスから予期されるが受信されなかった物理レイヤ報告の数をカウントすることとを含む（ブロック６０４）。方法６００は更に、上記の数が所定の限界に達したことに応答して、第２のＢＷＰについての物理レイヤ報告を設定するための１つ以上のＭＡＣ ＣＥを送信することを含む（ブロック６０６）。
【００５８】
方法６００は更に、第１のＢＷＰの使用から第２のＢＷＰに切り替えるためのインジケーションの送信後に、第２のＢＷＰについての物理レイヤ報告を設定するための１つ以上の第１のＭＡＣ ＣＥを送信することを更に含み、当該カウントすることは、１つ以上の第１のＭＡＣ ＣＥを送信することに応じて始まる。
【００５９】
図７は、いくつかの実施形態による、無線デバイス５０として示される無線デバイスの図を示す。無線デバイス５０は、セルラネットワーク内のＵＥのような、ネットワーク内で動作しうる任意の無線端末を表すものと見なされうる。他の例には、通信デバイス、ターゲットデバイス、デバイス・ツー・デバイス（Ｄ２Ｄ）ＵＥ、マシンタイプＵＥ又はマシン・ツー・マシン通信（Ｍ２Ｍ）が可能なＵＥ、ＵＥを備えたセンサ、ＰＤＡ（パーソナルデジタルアシスタント）、タブレット、モバイル端末、スマートフォン、laptop embedded equipped（ＬＥＥ）、laptop mounted equipment（ＬＭＥ）、ＵＳＢドングル、カスタマ構内設備（ＣＰＥ：Customer Premises Equipment）等が含まれうる。
【００６０】
無線デバイス５０は、アンテナ５４及びトランシーバ回路５６を介して、ワイドエリアセルラネットワーク内の無線ネットワークノード又は基地局と通信するように構成される。トランシーバ回路５６は、セルラ通信サービスを使用する目的で、無線アクセス技術に従って信号を送受信するように集合的に構成された送信回路、受信回路、及び関連する制御回路を含みうる。この無線アクセス技術は、この説明を目的としてＮＲ及びＬＴＥである。
【００６１】
無線デバイス５０は更に、無線トランシーバ回路５６に動作可能に関連付けられた１つ以上の処理回路５２を含む。処理回路５２は、１つ以上のデジタル処理回路（例えば、１つ以上のマイクロプロセッサ、マイクロコントローラ、ＤＳＰ、ＦＰＧＡ、ＣＰＬＤ、ＡＳＩＣ、又はそれらの任意の混合物）を含む。より一般的には、処理回路５２は、固定回路、又は本明細書で教示される機能を実装するプログラム命令の実行を介して特別に構成されるプログラマブル回路を含んでもよく、又は固定回路とプログラムされた回路との何らかの混合物を含んでもよい。処理回路５２はマルチコアであってもよい。
【００６２】
処理回路５２は更に、メモリ６４を含む。いくつかの実施形態において、メモリ６４は、１つ以上のコンピュータプログラム６６と、オプションとして設定データ６８とを格納する。メモリ６４は、コンピュータプログラム６６用の非一時的なストレージを提供し、ディスクストレージ、ソリッドステートメモリストレージ、又はそれらの任意の混合物等の、１つ以上のタイプのコンピュータ読取可能媒体を含みうる。非限定的な例として、メモリ６４は、ＳＲＡＭ、ＤＲＡＭ、ＥＥＰＲＯＭ、及びフラッシュメモリのうちの任意の１つ以上を含み、これらは、処理回路５２内にあってもよいし、処理回路５２とは別個であってもよいし、又はその両方であってもよい。メモリ６４は更に、無線デバイス５０によって使用される任意の設定データ６８を格納しうる。処理回路５２は例えば、メモリ６４に格納された適切なプログラムコードを使用することによって、以下に詳述する方法及び／又はシグナリングプロセスのうちの１つ以上を実行するように構成されうる。
【００６３】
いくつかの実施形態によれば、無線デバイス５０の処理回路５２は、２つ以上の以前に設定されたＢＷＰのうちの１つで選択的に動作するように構成され、各ＢＷＰはアップリンク動作及び／又はダウンリンク動作のために利用可能な帯域幅の異なるサブセットである。処理回路５２は、第１のＢＷＰの使用から第２のＢＷＰに切り替えるためのインジケーションを受信し、第２のＢＷＰの使用への切り替えの後に、第２のＢＷＰに対応する、所定のデフォルト設定を、１つ以上の物理レイヤパラメータ及び／又は手順に適用するように構成される。
【００６４】
いくつかの実施形態において、処理回路５２は、第１のＢＷＰの使用から第２のＢＷＰに切り替えるためのインジケーションを受信し、第２のＢＷＰのための物理レイヤパラメータ及び／又は手順が以前に、第２のＢＷＰの以前の使用中にＭＡＣ ＣＥによって設定されたかどうかを判定するように構成される。処理回路５２は更に、第２のＢＷＰのための物理レイヤパラメータ及び／又は手順が以前に、第２のＢＷＰの以前の使用中にＭＡＣ ＣＥによって設定されたと判定したことに応じて、第２のＢＷＰのための以前に設定された物理レイヤパラメータ及び／又は手順を適用するように構成される。
【００６５】
他の実施形態において、処理回路５２は、第１のＢＷＰの使用から第２のＢＷＰに切り替えるためのインジケーションを受信し、第２のＢＷＰの使用への切り替えに応じて、１つ以上の物理レイヤ手順の動作を停止することであって、第２のＢＷＰのための当該停止された１つ以上の物理レイヤ手順をアクティブ化及び／又は設定するコマンドの受信時まで停止することを行うように構成される。
【００６６】
いくつかの実施形態において、処理回路５２は、第１のＢＷＰの使用から第２のＢＷＰに切り替えるためのインジケーションを受信し、第２のＢＷＰの使用への切り替えに応じて、１つ以上の物理レイヤ手順の動作を停止し、かつ、第２のＢＷＰのための当該停止された１つ以上の物理レイヤ手順をアクティブ化及び／又は設定するコマンドの受信のために、所定の時間、待機するように構成される。処理回路５２は、当該所定の時間内に、第２のＢＷＰのための停止された１つ以上の物理レイヤ手順をアクティブ化及び／又は設定するコマンドを受信することに失敗したことに応じて、以前に設定された２つ以上のＢＷＰのうちのデフォルトＢＷＰの使用に切り替え、かつ、当該デフォルトＢＷＰに対応する、所定のデフォルト設定を、１つ以上の物理レイヤパラメータ及び／又は手順に適用するように構成される。
【００６７】
いくつかの実施形態によれば、処理回路５２は、図８〜図１１に示されている無線デバイス５０のための方法８００〜１１００のような、対応する方法を実行するように構成されている。例えば、方法８００は、第１のＢＷＰの使用から第２のＢＷＰに切り替えるためのインジケーションを受信することと（ブロック８０２）、第２のＢＷＰの使用への切り替えの後に、第２のＢＷＰに対応する、所定のデフォルト設定を、１つ以上の物理レイヤパラメータ及び／又は手順に適用することとを含む（ブロック８０４）。
【００６８】
所定のデフォルト設定は、複数の所定のデフォルト設定のうちの１つであってもよく、当該複数の所定のデフォルト設定のそれぞれは、以前に設定されたＢＷＰのそれぞれに一意に対応する。所定のデフォルト設定は、第２のＢＷＰを含む、以前に設定されたＢＷＰのうちの２つ以上に対応する共通のデフォルト設定であってもよい。所定のデフォルト設定は、第２のＢＷＰの使用への切り替え時に応じて直ちに適用されてもよい。
【００６９】
いくつかの実施形態において、方法８００は更に、第２のＢＷＰの使用への切り替えに応じて、１つ以上の物理レイヤ手順の動作を停止することを含む。方法８００は、第２のＢＷＰのための停止された１つ以上の物理レイヤ手順をアクティブ化及び／又は設定するコマンドの受信のために、所定の時間、待機することも含む。所定のデフォルト設定の適用は、所定の時間内に、第２のＢＷＰのための停止された１つ以上の物理レイヤ手順をアクティブ化及び／又は設定するコマンドを受信することに失敗したことに応じて、実行されてもよい。
【００７０】
方法８００は、第２のＢＷＰの使用への切り替えに応じて、第２のＢＷＰのための物理レイヤパラメータ及び／又は手順が以前に、第２のＢＷＰの以前の使用中にＭＡＣ ＣＥによって設定されたかどうかを判定することも含んでもよい。所定のデフォルト設定の適用は、第２のＢＷＰのための物理レイヤパラメータ及び／又は手順が以前に、第２のＢＷＰの以前の使用中にＭＡＣ ＣＥによって設定されていないと判定したことに応じて実行されてもよい。
【００７１】
方法８００は更に、第２のＢＷＰの使用への切り替えに応じて、第２のＢＷＰのための物理レイヤパラメータ及び／又は手順が以前に、第２のＢＷＰの以前の使用中であって、かつ、当該切り替えより前の所定のインターバル内に、ＭＡＣ ＣＥによって設定されたかどうかを判定することを含んでもよい。所定のデフォルト設定の適用は、第２のＢＷＰのための物理レイヤパラメータ及び／又は手順が以前に、第２のＢＷＰの以前の使用中であって、かつ、所定のインターバル内に、ＭＡＣ ＣＥによって設定されていないと判定したことに応じて、実行されてもよい。
【００７２】
方法８００は更に、第２のＢＷＰの使用への切り替えに応じて、第２のＢＷＰのための物理レイヤパラメータ及び／又は手順が以前に、アクティブからアイドルへの状態の変化もハンドオーバも無しで生じた第２のＢＷＰの以前の使用の間に、ＭＡＣ ＣＥによって設定されたかどうかを判定することを含んでもよい。所定のデフォルト設定の適用は、第２のＢＷＰのための物理レイヤパラメータ及び／又は手順が以前に、アクティブからアイドルへの状態の変化もハンドオーバも無しで生じた第２のＢＷＰの以前の使用の間に、ＭＡＣ ＣＥによって設定されていないと判定したことに応じて、実行されてもよい。
【００７３】
方法８００は、所定のデフォルト設定を適用した後に、第２のＢＷＰのための１つ以上の物理レイヤ手順をアクティブ化及び／又は設定するコマンドを受信することと、受信されたコマンドに従って１つ以上の物理レイヤ手順を実行することと、を含んでもよい。
【００７４】
いくつかの実施形態によれば、方法９００は、第１のＢＷＰの使用から第２のＢＷＰに切り替えるためのインジケーションを受信することと（ブロック９０２）、第２のＢＷＰのための物理レイヤパラメータ及び／又は手順が以前に、第２のＢＷＰの以前の使用中にＭＡＣ ＣＥによって設定されたかどうかを判定することと、を含む（ブロック９０４）。方法９００は、第２のＢＷＰのための物理レイヤパラメータ及び／又は手順が以前に、第２のＢＷＰの以前の使用中にＭＡＣ ＣＥによって設定されたと判定したことに応じて、第２のＢＷＰのための以前に設定された物理レイヤパラメータ及び／又は手順を適用することを含む（ブロック９０６）。
【００７５】
第２のＢＷＰのための以前に設定された物理レイヤパラメータ及び／又は手順の適用は、第２のＢＷＰのための当該以前に設定された物理レイヤパラメータ及び／又は手順が、第１のＢＷＰから第２のＢＷＰの使用への切り替えより前の所定の時間インターバル内に設定されたと判定することを更に条件としてもよい。
【００７６】
第２のＢＷＰのための以前に設定された物理レイヤパラメータ及び／又は手順の適用は、第２のＢＷＰのための当該以前に設定された物理レイヤパラメータ及び／又は手順が設定されてから、アクティブ状態からアイドル状態への変化及び／又はハンドオーバが生じていないと判定することを更に条件としてもよい。
【００７７】
いくつかの実施形態によれば、方法１０００は、第１のＢＷＰの使用から第２のＢＷＰに切り替えるためのインジケーションを受信することと（ブロック１００２）、第２のＢＷＰの使用への切り替えに応じて、１つ以上の物理レイヤ手順の動作を停止することであって、第２のＢＷＰのための当該停止された１つ以上の物理レイヤ手順をアクティブ化及び／又は設定するコマンドの受信時まで停止することと、を含みうる（ブロック１００４）。
【００７８】
いくつかの実施形態によれば、方法１１００は、第１のＢＷＰの使用から第２のＢＷＰに切り替えるためのインジケーションを受信することと（ブロック１１０２）、第２のＢＷＰの使用への切り替えに応じて、１つ以上の物理レイヤ手順の動作を停止し、かつ、第２のＢＷＰのための当該停止された１つ以上の物理レイヤ手順をアクティブ化及び／又は設定するコマンドの受信のために、所定の時間、待機することと、を含む（ブロック１１０４）。方法１１００は更に、当該所定の時間内に、第２のＢＷＰのための停止された１つ以上の物理レイヤ手順をアクティブ化及び／又は設定するコマンドを受信することに失敗したことに応じて、以前に設定された２つ以上のＢＷＰのうちのデフォルトＢＷＰの使用に切り替えることと、当該デフォルトＢＷＰに対応する、所定のデフォルト設定を、１つ以上の物理レイヤパラメータ及び／又は手順に適用することと、を含む（ブロック１１０６）。
【００７９】
物理レイヤパラメータ及び／又は手順は、ＣＳＩ報告、干渉測定報告、及び／又はＳＲＳ設定パラメータを含みうる。
【００８０】
図１２は、いくつかの実施形態に従って、通信システムを示し、当該通信システムは、３ＧＰＰタイプのセルラネットワーク等の通信ネットワーク１２１０を含み、当該通信ネットワークは、無線アクセスネットワーク等のアクセスネットワーク１２１１と、コアネットワーク１２１４とを含む。アクセスネットワーク１２１１は、それぞれ対応するカバレッジエリア１２１３ａ，１２１３ｂ，１２１３ｃを規定する、ＮＢ、ｅＮＢ、ｇＮＢ、又はその他のタイプの無線アクセスポイント等の複数の基地局１２１２ａ，１２１２ｂ，１２１２ｃを備える。各基地局１２１２ａ，１２１２ｂ，１２１２ｃは、有線又は無線コネクション１２１５を介してコアネットワーク１２１４に接続可能である。カバレッジエリア１２１３ｃに位置する第１のユーザ装置（ＵＥ）１２９１は、対応する基地局１２１２ｃに無線で接続する、又は当該基地局によってページングされるように構成される。カバレッジエリア１２１３ａ内の第２のＵＥ１２９２は、対応する基地局１２１２ａに無線で接続可能である。この例では、複数のＵＥ１２９１，１２９２が示されているが、開示された実施形態は、単一のＵＥがカバレッジエリア内にある状況、又は単一のＵＥが対応する基地局１２１２に接続している状況にも同様に適用可能である。
【００８１】
通信ネットワーク１２１０自体は、ホストコンピュータ１２３０に接続され、当該ホストコンピュータは、独立型サーバ、クラウド実装型サーバ、分散型サーバのハードウェア及び／又はソフトウェアで、又はサーバファーム内の処理リソースとして実施されうる。ホストコンピュータ１２３０は、サービスプロバイダの所有であっても制御下にあってもよく、又は、サービスプロバイダによって又はサービスプロバイダの代わりに操作されてもよい。通信ネットワーク１２１０とホストコンピュータ１２３０との間のコネクション１２２１，１２２２は、コアネットワーク１２１４からホストコンピュータ１２３０に直接延びていてもよいし、オプションの中間ネットワーク１２２０を介して延びていてもよい。中間ネットワーク１２２０は、パブリックネットワーク、プライベートネットワーク、又はホストネットワークのうちの１つ以上の組合せであってもよく、中間ネットワーク１２２０は、もしあれば、バックボーンネットワーク又はインターネットであってもよく、特に、中間ネットワーク１２２０は、２つ以上のサブネットワーク（図示せず）を含んでもよい。
【００８２】
図１２の通信システムは、全体として、接続されたＵＥ１２９１，１２９２のうちの１つとホストコンピュータ１２３０との間の接続性を与える。当該接続性は、オーバー・ザ・トップ（ＯＴＴ：ｏｖｅｒ‐ｔｈｅ‐ｔｏｐ）コネクション１２５０として説明されうる。ホストコンピュータ１２３０及び接続されたＵＥ１２９１，１２９２は、アクセスネットワーク１２１１、コアネットワーク１２１４、任意の中間ネットワーク１２２０、及び可能性のある更なるインフラストラクチャ（図示せず）を媒介として使用して、ＯＴＴコネクション１２５０を介してデータ及び／又はシグナリングを通信するように構成される。ＯＴＴコネクション１２５０は、ＯＴＴコネクション１２５０が通過する参加通信デバイスが、アップリンク通信及びダウンリンク通信のルーティングに気付かないという意味で、トランスペアレントでありうる。例えば、基地局１２１２は、接続されたＵＥ１２９１に転送される（例えば、ハンドオーバされる）ホストコンピュータ１２３０から発信されたデータを有する、到着するダウンリンク通信の過去のルーティングについて通知されてなくてもよく、又は通知される必要がなくてもよい。同様に、基地局１２１２は、ＵＥ１２９１からホストコンピュータ１２３０へ向かう、発信されるアップリンク通信の将来のルーティングを知っている必要はない。
【００８３】
図１３を参照して、前の段落で説明したＵＥ、基地局及びホストコンピュータの実施形態による実装例を以下で説明する。通信システム１３００において、ホストコンピュータ１３１０は、通信システム１３００の、異なる通信デバイスのインタフェースとの有線又は無線接続をセットアップ及び維持するように構成された通信インタフェース１３１６を含むハードウェア１３１５を備える。ホストコンピュータ１３１０は、ストレージ能力及び／又は処理能力を有しうる処理回路１３１８を更に備える。具体的には、処理回路１３１８は、命令を実行するように適合された１つ以上のプログラマブルプロセッサ、特定用途向け集積回路、フィールドプログラマブルゲートアレイ、又はこれらの組み合わせ（図示せず）を備えうる。ホストコンピュータ１３１０は、ホストコンピュータ１３１０内に格納された又はホストコンピュータ９１０がアクセス可能である、かつ、処理回路１３１８によって実行可能であるソフトウェア１３１１を更に備える。ソフトウェア１３１１は、クライアントアプリケーション１３１２を含む。ホストアプリケーション１３１２は、ＵＥ１３３０及びホストコンピュータ１３１０で終端するＯＴＴコネクション１３５０を介して接続するＵＥ１３３０等のリモートユーザにサービスを提供するように動作可能でありうる。サービスをリモートユーザに提供する際に、ホストアプリケーション１３１２は、ＯＴＴコネクション１３５０を使用して送信されるユーザデータを提供しうる。
【００８４】
通信システム１３００は更に、通信システム内に設けられ、かつ、ホストコンピュータ１３１０及びＵＥ１３３０と通信することを可能にするハードウェア１３２５を備える基地局１３２０を含む。ハードウェア１３２５は、通信システム１３００の、異なる通信デバイスのインタフェースとの有線又は無線コネクションをセットアップ及び維持するための通信インタフェース１３２６と、基地局１３２０によってサービスが行われるカバレッジエリア（図１３には図示せず）内に位置するＵＥ１３３０との少なくとも無線コネクション１３７０をセットアップ及び維持するための無線インタフェース１３２７とを含みうる。通信インタフェース１３２６は、ホストコンピュータ１３１０へのコネクション１３６０を容易にするように構成されうる。コネクション１３６０は、直接的であってもよいし、通信システムのコアネットワーク（図１３には図示せず）及び／又は通信システムの外部の１つ以上の中間ネットワークを通過してもよい。図示された実施形態では、基地局ＱＱ１３２０のハードウェア１３２５は、命令を実行するように適合された１つ以上のプログラマブルプロセッサ、特定用途向け集積回路、フィールドプログラマブルゲートアレイ、又はこれらの組み合わせ（図示せず）を備えうる処理回路１３２８を更に含む。基地局１３２０は、内部に格納されるか又は外部接続を介してアクセス可能なソフトウェア１３２１を更に有する。
【００８５】
通信システム１３００は、既に言及したＵＥ１３３０を更に含む。当該ＵＥのハードウェア１３３５は、ＵＥ１３３０が現在位置しているカバレッジエリアにサービスを行う基地局との無線コネクション１３７０をセットアップ及び維持するように構成された無線インタフェース１３３７を含みうる。ＵＥ１３３０のハードウェア１３３５は、命令を実行するように適合された１つ以上のプログラマブルプロセッサ、特定用途向け集積回路、フィールドプログラマブルゲートアレイ、又はこれらの組み合わせ（図示せず）を含みうる処理回路１３３８を更に含む。ＵＥ１３３０は、ＵＥ１３３０内に格納された又はＵＥ１３３０がアクセス可能である、かつ、処理回路１３３８によって実行可能であるソフトウェア１３３１を更に備える。ソフトウェア１３３１は、クライアントアプリケーション１３３２を含む。クライアントアプリケーション１３３２は、ホストコンピュータ１３１０のサポートにより、ＵＥ１３３０を介して人間の又は人間以外のユーザにサービスを提供するように動作可能でありうる。ホストコンピュータ１３１０において、実行中のホストアプリケーション１３１２は、ＵＥ１３３０及びホストコンピュータ１３１０で終端するＯＴＴコネクション１３５０を介して、実行中のクライアントアプリケーション１３３２と通信しうる。ユーザにサービスを提供する際、クライアントアプリケーション１３３２は、ホストアプリケーション１３１２から要求データを受信し、当該要求データに応じてユーザデータを提供しうる。ＯＴＴコネクション１３５０は、要求データ及びユーザデータの両方を転送しうる。クライアントアプリケーション１３３２は、それが提供するユーザデータを生成するためにユーザとインタラクションしうる。
【００８６】
図１３に示されるホストコンピュータ１３１０、基地局１３２０、及びＵＥ１３３０は、それぞれ、図１２のホストコンピュータ１２３０、基地局１２１２ａ，１２１２ｂ，１２１２ｃのうちの１つ、及びＵＥ１２９１，１２９２のうちの１つと、同一でありうることに留意されたい。即ち、これらのエンティティの内部動作は、図１３に示されるようなものであってもよく、独立して、周囲のネットワークトポロジは図１２のものであってもよい。
【００８７】
図１３では、あらゆる中間デバイス及びそれらのデバイスを介したメッセージの正確なルーティングに明示的に言及することなく、ＯＴＴコネクション１３５０が、基地局１３２０を介したホストコンピュータ１３１０とユーザ装置１３３０との間の通信を示すために抽象的に描かれている。ネットワークインフラストラクチャは、ＵＥ１３３０から若しくはホストコンピュータ１３１０を操作するサービスプロバイダから、又はその両方から隠すように構成されうるルーティングを決定しうる。ＯＴＴコネクション１３５０がアクティブである間に、ネットワークインフラストラクチャは、（例えば、負荷の考慮又はネットワークの再設定に基づいて）ルーティングを動的に変更する決定を更に行いうる。
【００８８】
ＵＥ１３３０と基地局１３２０との間の無線コネクション１３７０は、対応する方法６００及び８００〜１１００とともに、無線デバイス５０及びネットワークノード３０等のノードによって与えられるような、本開示全体にわたって説明される実施形態の教示に従う。アクティブＢＷＰ及び関連する物理レイヤ設定のミスアライメントは、準最適な性能及び可能性のある誤った挙動をもたらす。本明細書で説明される様々な実施形態は、ミスアライメントを回避し、ＮＲの性能を期待されるレベルに維持する。これは、ＯＴＴコネクション１３５０を使用するネットワーク及びＵＥ１３３０についてのデータレート、容量、レイテンシ及び／又は消費電力を改善し、それによって、ユーザの待ち時間の減少、容量の増大、応答性の向上、及び装置のバッテリ時間の向上といった利点をもたらす。
【００８９】
いくつかの実施形態では、１つ又は以上の実施形態が改善するデータレート、レイテンシ及びその他の要因をモニタリングする目的で、測定手順が提供されうる。更に、測定結果の変動に応じて、ホストコンピュータ１３１０とＵＥ１３３０との間のＯＴＴコネクション１３５０を再設定するためのオプションのネットワーク機能があってもよい。ＯＴＴコネクション１３５０を再設定するための測定手順及び／又はネットワーク機能は、ホストコンピュータ１３１０のソフトウェア１３１１、又はＵＥ１３３０のソフトウェア１３３１、又はその両方で実装されうる。いくつかの実施形態では、センサ（図示せず）が、ＯＴＴコネクション１３５０が通過する通信デバイスに配置されうるか又はそれに関連して配置されうる。当該センサは、上記で例示された、モニタリングされた量の値を供給することによって、又はソフトウェア１３１１，１３３１が当該モニタリングされた量を他の物理量の値から計算又は推定しうる、当該他の物理量の値を供給することによって、測定手順に関与しうる。ＯＴＴコネクション１３５０の再設定は、メッセージフォーマット、再送設定、好ましいルーティング等を含んでもよく、当該再設定は、基地局１３２０に影響を与える必要はなく、基地局１３２０には未知であるか又は感知できなくてもよい。そのような手順及び機能は、当該分野では既知でありうるとともに実践されうる。特定の実施形態では、測定は、ホストコンピュータ１３１０の、スループット、伝搬時間、レイテンシ等の測定を容易にする、独自のＵＥシグナリングを含みうる。測定は、ソフトウェア１３１１，１３３１が、伝搬時間、エラー等をモニタリングしながら、ＯＴＴコネクション１３５０を使用して、メッセージ（特に、空のメッセージ又は「ダミー」メッセージ）を送信させることで実行されうる。
【００９０】
図１４は、一実施形態による、通信システムにおいて実行される方法を示すフローチャートである。通信システムは、図１２及び図１３を参照して説明されうるホストコンピュータ、基地局、及びＵＥを含む。本開示を簡単にするために、図１４に対する図面の言及のみがこのセクションに含まれる。本方法の１番目のステップ１４１０で、ホストコンピュータがユーザデータを提供する。１番目のステップ１４１０のオプションのサブステップ１４１１で、ホストコンピュータが、ホストアプリケーションを実行することによってユーザデータを提供する。２番目のステップ１４２０で、ホストコンピュータが、ＵＥへのユーザデータを搬送する送信を開始する。オプションの３番目のステップ１４３０で、基地局が、本開示全体にわたって説明される実施形態の教示に従って、ホストコンピュータが開始した送信で搬送されたユーザデータをＵＥへ送信する。オプションの４番目のステップ１４４０で、ＵＥが、ホストコンピュータによって実行されるホストアプリケーションに関連付けられたクライアントアプリケーションを実行する。
【００９１】
図１５は、一実施形態による、通信システムにおいて実行される方法を示すフローチャートである。通信システムは、図１２及び図１３を参照して説明されうるホストコンピュータ、基地局、及びＵＥを含む。本開示を簡単にするために、図１５に対する図面の言及のみがこのセクションに含まれる。本方法の１番目のステップ１５１０で、ホストコンピュータがユーザデータを提供する。オプションのサブステップ（図示せず）で、ホストコンピュータが、ホストアプリケーションを実行することによってユーザデータを提供する。２番目のステップ１５２０で、ホストコンピュータが、ＵＥへのユーザデータを搬送する送信を開始する。当該送信は、本開示全体にわたって説明される実施形態の教示に従って、基地局を通過しうる。オプションの３番目のステップ１５３０で、ＵＥは、当該送信で搬送されたユーザデータを受信する。
【００９２】
図１６は、一実施形態による、通信システムにおいて実行される方法を示すフローチャートである。通信システムは、図１２及び図１３を参照して説明されうるホストコンピュータ、基地局、及びＵＥを含む。本開示を簡単にするために、図１６に対する図面の言及のみがこのセクションに含まれる。オプションの１番目のステップ１６１０で、ＵＥは、ホストコンピュータによって提供された入力データを受信する。追加的に又は代替的に、オプションの２番目のステップ１６２０で、ＵＥは、ユーザデータを提供する。２番目のステップ１６２０のオプションのサブステップ１６２１で、ＵＥが、クライアントアプリケーションを実行することによってユーザデータを提供する。１番目のステップ１６１０の更なるオプションのサブステップ１６１１で、ＵＥが、ホストコンピュータによって提供された受信入力データに応答してユーザデータを提供するクライアントアプリケーションを実行する。ユーザデータを提供する際に、実行されるクライアントアプリケーションは、ユーザから受け付けたユーザ入力を更に考慮してもよい。ユーザデータが提供された特定の方法にかかわらず、ＵＥは、オプションの３番目のサブステップ１６３０で、ユーザデータのホストコンピュータへの送信を開始する。本方法の４番目のステップ１６４０で、ホストコンピュータが、本開示全体にわたって説明される実施形態の教示に従って、ＵＥから送信されたユーザデータを受信する。
【００９３】
図１７は、一実施形態による、通信システムにおいて実行される方法を示すフローチャートである。通信システムは、図１２及び図１３を参照して説明されうるホストコンピュータ、基地局、及びＵＥを含む。本開示を簡単にするために、図１７に対する図面の言及のみがこのセクションに含まれる。本方法のオプションの１番目のステップ１７１０で、本開示全体にわたって説明される実施形態の教示に従って、基地局が、ＵＥからユーザデータを受信する。オプションの２番目のステップ１７２０で、基地局が、受信したユーザデータのホストコンピュータへの送信を開始する。３番目のステップ１７３０で、ホストコンピュータは、基地局によって開始された送信で搬送されたユーザデータを受信する。
【００９４】
図１２〜図１３に示す通信システムに基づいて、更なる実施形態について説明する。いくつかの実施形態によれば、ホストコンピュータを含む通信システムは、ユーザデータを提供するように構成された処理回路と、以前に設定された２つ以上のＢＷＰのうちの１つで選択的に動作するように構成されたＵＥへの送信のために、ユーザデータをセルラネットワークへ転送するように構成された通信インタフェースとを備え、各ＢＷＰは、アップリンク及び／又はダウンリンク動作のために使用可能な帯域幅のうちの異なるサブセットである。セルラネットワークは、ＵＥにサービスを行う基地局であって、第１のＢＷＰの使用から第２のＢＷＰに切り替えるためのインジケーションをＵＥへ送信し、第２のＢＷＰの使用中にＵＥから予期されるが受信されなかった物理レイヤ報告の数をカウントするように構成された、基地局を含む。上記の数が所定の限界に達したことに応答して、基地局は、第２のＢＷＰについての物理レイヤ報告を設定するための１つ以上のＭＡＣ ＣＥを送信する。通信システムは、基地局、及び／又は基地局と通信するように構成されたＵＥを含みうる。ホストコンピュータの処理回路は、ホストアプリケーションを実行し、それによってユーザデータを提供するように構成されており、ＵＥは、ホストアプリケーションに関連付けられたクライアントアプリケーションを実行するように構成された処理回路を備えうる。
【００９５】
いくつかの実施形態によれば、ホストコンピュータと、基地局と、以前に設定された２つ以上のＢＷＰのうちの１つで選択的に動作するように構成されたＵＥとを含む通信システムにおいて実行される方法であって、各ＢＷＰは、アップリンク及び／又はダウンリンク動作のための使用可能な帯域幅のうちの異なるサブセットである、当該方法は、ホストコンピュータにおいて、ユーザデータを提供することと、ホストコンピュータにおいて、ＵＥにサービスを行うように構成された基地局を含むセルラネットワークを介した、ＵＥへのユーザデータを運ぶ送信を開始することと、を含む。基地局における方法は、第１のＢＷＰの使用から第２のＢＷＰに切り替えるためのインジケーションを、ＵＥへ送信することと、第２のＢＷＰの使用中にＵＥから予期されるが受信されなかった物理レイヤ報告の数をカウントすることと、上記の数が所定の限界に達したことに応答して、第２のＢＷＰについての物理レイヤ報告を設定するための、１つ以上のＭＡＣ制御エレメント（ＣＥ）を送信することと、を含む。本方法は更に、基地局において、ユーザデータを送信することを含みうる。ユーザデータは、ホストアプリケーションを実行することによってホストコンピュータにおいて提供されてもよく、本方法は更に、ＵＥにおいて、ホストアプリケーションに関連付けられたクライアントアプリケーションを実行することを含む。
【００９６】
いくつかの実施形態によれば、ホストコンピュータを含む通信システムは、ユーザデータを提供するように構成された処理回路と、以前に設定された２つ以上のＢＷＰのうちの１つで選択的に動作するように構成されたＵＥへの送信のためにセルラネットワークにユーザデータを転送するように構成された通信インタフェースとを含み、各ＢＷＰは、アップリンク及び／又はダウンリンク動作のために使用可能な帯域幅のうちの異なるサブセットであり、ＵＥは、第１のＢＷＰの使用から第２のＢＷＰへの切り替えのインジケーションを受信し、第２のＢＷＰの使用に切り替えた後、第２のＢＷＰに対応する所定のデフォルト設定を１つ以上の物理レイヤパラメータ及び／又は手順に適用するように構成された、無線インタフェース及び処理回路を備える。
【００９７】
いくつかの実施形態によれば、ホストコンピュータを含む通信システムは、ユーザデータを提供するように構成された処理回路と、以前に設定された２つ以上のＢＷＰのうちの１つで選択的に動作するように構成されたＵＥへの送信のためにセルラネットワークにユーザデータを転送するように構成された通信インタフェースとを含み、各ＢＷＰは、アップリンク及び／又はダウンリンク動作のために使用可能な帯域幅のうちの異なるサブセットであり、ＵＥは、第１のＢＷＰの使用から第２のＢＷＰへの切り替えのインジケーションを受信し、第２のＢＷＰのための物理レイヤパラメータ及び／又は手順が以前に、第２のＢＷＰの以前の使用中にＭＡＣ ＣＥによって設定されたかどうかを判定し、第２のＢＷＰのための物理レイヤパラメータ及び／又は手順が以前に、第２のＢＷＰの以前の使用中にＭＡＣ ＣＥによって設定されたと判定したことに応じて、第２のＢＷＰのための以前に設定された物理レイヤパラメータ及び／又は手順を適用するように構成された、無線インタフェース及び処理回路を備える。
【００９８】
いくつかの実施形態によれば、ホストコンピュータを含む通信システムは、ユーザデータを提供するように構成された処理回路と、以前に設定された２つ以上のＢＷＰのうちの１つで選択的に動作するように構成されたＵＥへの送信のためにセルラネットワークにユーザデータを転送するように構成された通信インタフェースとを含み、各ＢＷＰは、アップリンク及び／又はダウンリンク動作のために使用可能な帯域幅のうちの異なるサブセットであり、ＵＥは、第１のＢＷＰの使用から第２のＢＷＰへの切り替えのインジケーションを受信し、第２のＢＷＰの使用への切り替えに応じて、１つ以上の物理レイヤ手順の動作を停止することであって、第２のＢＷＰのための当該停止された１つ以上の物理レイヤ手順をアクティブ化及び／又は設定するコマンドの受信時まで停止することを行うように構成された、無線インタフェース及び処理回路を備える。
【００９９】
いくつかの実施形態によれば、ホストコンピュータを含む通信システムは、ユーザデータを提供するように構成された処理回路と、以前に設定された２つ以上のＢＷＰのうちの１つで選択的に動作するように構成されたＵＥへの送信のためにセルラネットワークにユーザデータを転送するように構成された通信インタフェースとを含み、各ＢＷＰは、アップリンク及び／又はダウンリンク動作のために使用可能な帯域幅のうちの異なるサブセットであり、ＵＥは、第１のＢＷＰの使用から第２のＢＷＰへの切り替えのインジケーションを受信し、第２のＢＷＰの使用への切り替えに応じて、１つ以上の物理レイヤ手順の動作を停止し、かつ、第２のＢＷＰのための当該停止された１つ以上の物理レイヤ手順をアクティブ化及び／又は設定するコマンドの受信のために、所定の時間、待機するように構成された、無線インタフェース及び処理回路を備える。処理回路は更に、当該所定の時間内に、第２のＢＷＰのための停止された１つ以上の物理レイヤ手順をアクティブ化及び／又は設定するコマンドを受信することに失敗したことに応じて、以前に設定された２つ以上のＢＷＰのうちのデフォルトＢＷＰの使用に切り替え、かつ、当該デフォルトＢＷＰに対応する、所定のデフォルト設定を、１つ以上の物理レイヤパラメータ及び／又は手順に適用するように構成される。通信システムは、ＵＥを更に含んでもよく、セルラネットワークは、ＵＥと通信するように構成された基地局を更に含んでもよい。ホストコンピュータの処理回路は、ホストアプリケーションを実行し、それによってユーザデータを提供するように構成されてもよく、ＵＥの処理回路は、ホストアプリケーションに関連付けられたクライアントアプリケーションを実行するように構成されてもよい。
【０１００】
いくつかの実施形態によれば、ホストコンピュータ、基地局、及び以前に設定された２つ以上のＢＷＰのうちの１つで選択的に動作するように構成されたＵＥを含む通信システムにおいて実行される方法が提供され、各ＢＷＰは、アップリンク及び／又はダウンリンク動作のために使用可能な帯域幅のうちの異なるサブセットである。本方法は、ホストコンピュータにおいて、ユーザデータを提供することと、ホストコンピュータにおいて、基地局を含むセルラネットワークを介した、ＵＥへユーザデータを運ぶ送信を開始することと、を含む。本方法は、ＵＥにおいて、第１のＢＷＰの使用から第２のＢＷＰに切り替えるためのインジケーションを受信することと、第２のＢＷＰの使用への切り替えの後に、第２のＢＷＰに対応する所定のデフォルト設定を１つ以上の物理レイヤパラメータ及び／又は手順に適用することと、を含む。
【０１０１】
いくつかの実施形態によれば、ホストコンピュータ、基地局、及び以前に設定された２つ以上のＢＷＰのうちの１つで選択的に動作するように構成されたＵＥを含む通信システムにおいて実行される方法が提供され、各ＢＷＰは、アップリンク及び／又はダウンリンク動作のために使用可能な帯域幅のうちの異なるサブセットである。本方法は、ホストコンピュータにおいて、ユーザデータを提供することと、ホストコンピュータにおいて、基地局を含むセルラネットワークを介した、ＵＥへのユーザデータを運ぶ送信を開始することと、を含み、本方法は、ＵＥにおいて、第１のＢＷＰの使用から第２のＢＷＰに切り替えるためのインジケーションを受信することと、第２のＢＷＰのための物理レイヤパラメータ及び／又は手順が以前に、第２のＢＷＰの以前の使用中にＭＡＣ ＣＥによって設定されたかどうかを判定することと、を含む。本方法は更に、ＵＥにおいて、第２のＢＷＰのための物理レイヤパラメータ及び／又は手順が以前に、第２のＢＷＰの以前の使用中にＭＡＣ ＣＥによって設定されたと判定したことに応じて、第２のＢＷＰのための以前に設定された物理レイヤパラメータ及び／又は手順を適用することを含む。
【０１０２】
いくつかの実施形態によれば、ホストコンピュータ、基地局、及び以前に設定された２つ以上のＢＷＰのうちの１つで選択的に動作するように構成されたＵＥを含む通信システムにおいて実行される方法が提供され、各ＢＷＰは、アップリンク及び／又はダウンリンク動作のために使用可能な帯域幅のうちの異なるサブセットである。本方法は、ホストコンピュータにおいて、ユーザデータを提供することと、ホストコンピュータにおいて、基地局を含むセルラネットワークを介した、ＵＥへのユーザデータを運ぶ送信を開始することと、を含み、本方法は、ＵＥにおいて、第１のＢＷＰの使用から第２のＢＷＰに切り替えるためのインジケーションを受信することと、第２のＢＷＰの使用への切り替えに応じて、１つ以上の物理レイヤ手順の動作を停止することであって、第２のＢＷＰのための当該停止された１つ以上の物理レイヤ手順をアクティブ化及び／又は設定するコマンドの受信時まで停止することと、を含む。
【０１０３】
いくつかの実施形態によれば、ホストコンピュータ、基地局、及び以前に設定された２つ以上のＢＷＰのうちの１つで選択的に動作するように構成されたＵＥを含む通信システムにおいて実行される方法が提供され、各ＢＷＰは、アップリンク及び／又はダウンリンク動作のために使用可能な帯域幅のうちの異なるサブセットであり、本方法は、ホストコンピュータにおいて、ユーザデータを提供することと、ホストコンピュータにおいて、基地局を含むセルラネットワークを介した、ＵＥへのユーザデータを運ぶ送信を開始することと、を含み、本方法は、ＵＥにおいて、第１のＢＷＰの使用から第２のＢＷＰに切り替えるためのインジケーションを受信することと、第２のＢＷＰの使用への切り替えに応じて、１つ以上の物理レイヤ手順の動作を停止し、かつ、第２のＢＷＰのための当該停止された１つ以上の物理レイヤ手順をアクティブ化及び／又は設定するコマンドの受信のために、所定の時間、待機することと、を含む。本方法は更に、ＵＥにおいて、当該所定の時間内に、第２のＢＷＰのための停止された１つ以上の物理レイヤ手順をアクティブ化及び／又は設定するコマンドを受信することに失敗したことに応じて、以前に設定された２つ以上のＢＷＰのうちのデフォルトＢＷＰの使用に切り替えることと、当該デフォルトＢＷＰに対応する、所定のデフォルト設定を、１つ以上の物理レイヤパラメータ及び／又は手順に適用することと、を含む。本方法は、ＵＥにおいて、基地局からユーザデータを受信することを更に含んでもよい。
【０１０４】
いくつかの実施形態によれば、ＵＥから基地局への送信から生じるユーザデータを受信するように構成された通信インタフェースを備えるホストコンピュータを含む通信システムであって、ＵＥは、以前に設定された２つ以上のＢＷＰのうちの１つで選択的に動作するように構成されたＵＥへの送信のためにセルラネットワークにユーザデータを転送するように構成され、各ＢＷＰは、アップリンク及び／又はダウンリンク動作のために使用可能な帯域幅のうちの異なるサブセットであり、ＵＥの処理回路は、第１のＢＷＰの使用から第２のＢＷＰへの切り替えのインジケーションを受信し、第２のＢＷＰの使用に切り替えた後、第２のＢＷＰに対応する所定のデフォルト設定を１つ以上の物理レイヤパラメータ及び／又は手順に適用するように構成される。
【０１０５】
いくつかの実施形態によれば、ＵＥから基地局への送信から生じるユーザデータを受信するように構成された通信インタフェースを備えるホストコンピュータを含む通信システムであって、ＵＥは、以前に設定された２つ以上のＢＷＰのうちの１つで選択的に動作するように構成されたＵＥへの送信のためにセルラネットワークにユーザデータを転送するように構成され、各ＢＷＰは、アップリンク及び／又はダウンリンク動作のために使用可能な帯域幅のうちの異なるサブセットであり、ＵＥの処理回路は、第１のＢＷＰの使用から第２のＢＷＰへの切り替えのインジケーションを受信し、第２のＢＷＰのための物理レイヤパラメータ及び／又は手順が以前に、第２のＢＷＰの以前の使用中にＭＡＣ ＣＥによって設定されたかどうかを判定し、第２のＢＷＰのための物理レイヤパラメータ及び／又は手順が以前に、第２のＢＷＰの以前の使用中にＭＡＣ ＣＥによって設定されたと判定したことに応じて、第２のＢＷＰのための以前に設定された物理レイヤパラメータ及び／又は手順を適用するように構成される。
【０１０６】
いくつかの実施形態によれば、ＵＥから基地局への送信から生じるユーザデータを受信するように構成された通信インタフェースを備えるホストコンピュータを含む通信システムであって、ＵＥは、以前に設定された２つ以上のＢＷＰのうちの１つで選択的に動作するように構成されたＵＥへの送信のためにセルラネットワークにユーザデータを転送するように構成され、各ＢＷＰは、アップリンク及び／又はダウンリンク動作のために使用可能な帯域幅のうちの異なるサブセットであり、ＵＥの処理回路は、第１のＢＷＰの使用から第２のＢＷＰへの切り替えのインジケーションを受信し、第２のＢＷＰの使用への切り替えに応じて、１つ以上の物理レイヤ手順の動作を停止することであって、第２のＢＷＰのための当該停止された１つ以上の物理レイヤ手順をアクティブ化及び／又は設定するコマンドの受信時まで停止することを行うように構成される。
【０１０７】
いくつかの実施形態によれば、ＵＥから基地局への送信から生じるユーザデータを受信するように構成された通信インタフェースを備えるホストコンピュータを含む通信システムであって、ＵＥは、以前に設定された２つ以上のＢＷＰのうちの１つで選択的に動作するように構成されたＵＥへの送信のためにセルラネットワークにユーザデータを転送するように構成され、各ＢＷＰは、アップリンク及び／又はダウンリンク動作のために使用可能な帯域幅のうちの異なるサブセットであり、ＵＥの処理回路は、第１のＢＷＰの使用から第２のＢＷＰへの切り替えのインジケーションを受信し、第２のＢＷＰの使用への切り替えに応じて、１つ以上の物理レイヤ手順の動作を停止し、かつ、第２のＢＷＰのための当該停止された１つ以上の物理レイヤ手順をアクティブ化及び／又は設定するコマンドの受信のために、所定の時間、待機するように構成される。ＵＥの処理回路は更に、当該所定の時間内に、第２のＢＷＰのための停止された１つ以上の物理レイヤ手順をアクティブ化及び／又は設定するコマンドを受信することに失敗したことに応じて、以前に設定された２つ以上のＢＷＰのうちのデフォルトＢＷＰの使用に切り替え、かつ、当該デフォルトＢＷＰに対応する、所定のデフォルト設定を、１つ以上の物理レイヤパラメータ及び／又は手順に適用するように構成される。通信システムは、ＵＥ及び／又は基地局を更に含んでもよく、当該基地局は、ＵＥと通信するように構成された無線インタフェースと、記ＵＥから基地局への送信によって搬送されるユーザデータをホストコンピュータへ転送するように構成された通信インタフェースと、を備える。ホストコンピュータの処理回路は、ホストアプリケーションを実行するように構成されてもよく、ＵＥの処理回路は、ホストアプリケーションに関連付けられたクライアントアプリケーションを実行するように構成されてもよく、それによってユーザデータを提供する。ホストコンピュータの処理回路は、ホストアプリケーションを実行し、それにより要求データを提供するように構成されてもよく、ＵＥの処理回路は、ホストアプリケーションに関連付けられたクライアントアプリケーションを実行し、それにより、要求データに応じてユーザデータを提供するように構成されてもよい。
【０１０８】
いくつかの実施形態によれば、以前に設定された２つ以上のＢＷＰのうちの１つで選択的に動作するように構成されたＵＥにおいて実行される方法であって、各ＢＷＰは、アップリンク及び／又はダウンリンク動作のために使用可能な帯域幅のうちの異なるサブセットであり、本方法は、第１のＢＷＰの使用から第２のＢＷＰへの切り替えのインジケーションを受信することと、第２のＢＷＰの使用に切り替えた後、第２のＢＷＰに対応する所定のデフォルト設定を１つ以上の物理レイヤパラメータ及び／又は手順に適用することと、を含む。
【０１０９】
いくつかの実施形態によれば、以前に設定された２つ以上のＢＷＰのうちの１つで選択的に動作するように構成されたＵＥにおいて実行される方法であって、各ＢＷＰは、アップリンク及び／又はダウンリンク動作のために使用可能な帯域幅のうちの異なるサブセットであり、本方法は、第１のＢＷＰの使用から第２のＢＷＰへの切り替えのインジケーションを受信することと、第２のＢＷＰのための物理レイヤパラメータ及び／又は手順が以前に、第２のＢＷＰの以前の使用中にＭＡＣ ＣＥによって設定されたかどうかを判定することと、を含む。本方法は更に、第２のＢＷＰのための物理レイヤパラメータ及び／又は手順が以前に、第２のＢＷＰの以前の使用中にＭＡＣ ＣＥによって設定されたと判定したことに応じて、第２のＢＷＰのための以前に設定された物理レイヤパラメータ及び／又は手順を適用することを含む。
【０１１０】
いくつかの実施形態によれば、以前に設定された２つ以上のＢＷＰのうちの１つで選択的に動作するように構成されたＵＥにおいて実行される方法であって、各ＢＷＰは、アップリンク及び／又はダウンリンク動作のために使用可能な帯域幅のうちの異なるサブセットであり、本方法は、第１のＢＷＰの使用から第２のＢＷＰへの切り替えのインジケーションを受信することと、第２のＢＷＰの使用への切り替えに応じて、１つ以上の物理レイヤ手順の動作を停止することであって、第２のＢＷＰのための当該停止された１つ以上の物理レイヤ手順をアクティブ化及び／又は設定するコマンドの受信時まで停止することと、を含む。
【０１１１】
いくつかの実施形態によれば、以前に設定された２つ以上のＢＷＰのうちの１つで選択的に動作するように構成されたＵＥにおいて実行される方法であって、各ＢＷＰは、アップリンク及び／又はダウンリンク動作のために使用可能な帯域幅のうちの異なるサブセットであり、本方法は、第１のＢＷＰの使用から第２のＢＷＰへの切り替えのインジケーションを受信することと、第２のＢＷＰの使用への切り替えに応じて、１つ以上の物理レイヤ手順の動作を停止し、かつ、第２のＢＷＰのための当該停止された１つ以上の物理レイヤ手順をアクティブ化及び／又は設定するコマンドの受信のために、所定の時間、待機することと、を含む。本方法は更に、当該所定の時間内に、第２のＢＷＰのための停止された１つ以上の物理レイヤ手順をアクティブ化及び／又は設定するコマンドを受信することに失敗したことに応じて、以前に設定された２つ以上のＢＷＰのうちのデフォルトＢＷＰの使用に切り替えることと、当該デフォルトＢＷＰに対応する、所定のデフォルト設定を、１つ以上の物理レイヤパラメータ及び／又は手順に適用することと、を含む。本方法は、ユーザデータを提供することと、ユーザデータを、基地局への送信を介してホストコンピュータへ転送することと、を更に含んでもよい。
【０１１２】
いくつかの実施形態によれば、ホストコンピュータ、基地局、及び以前に設定された２つ以上のＢＷＰのうちの１つで選択的に動作するように構成されたＵＥを含む通信システムにおいて実行される方法が提供され、各ＢＷＰは、アップリンク及び／又はダウンリンク動作のために使用可能な帯域幅のうちの異なるサブセットであり、本方法は、ホストコンピュータにおいて、基地局がＵＥへ送信されたユーザデータを受信することを含み、本方法は、ＵＥにおいて、第１のＢＷＰの使用から第２のＢＷＰへの切り替えのインジケーションを受信することと、第２のＢＷＰの使用に切り替えた後、第２のＢＷＰに対応する所定のデフォルト設定を１つ以上の物理レイヤパラメータ及び／又は手順に適用することと、を含む。
【０１１３】
いくつかの実施形態によれば、ホストコンピュータと、基地局と、以前に設定された２つ以上のＢＷＰのうちの１つで選択的に動作するように構成されたＵＥとを含む通信システムにおいて実行される方法が提供され、各ＢＷＰは、アップリンク及び／又はダウンリンク動作のための使用可能な帯域幅のうちの異なるサブセットである、本方法は、ホストコンピュータにおいて、ＵＥから基地局へ送信されたユーザデータを受信することを含み、本方法は、ＵＥにおいて、第１のＢＷＰの使用から第２のＢＷＰへの切り替えのインジケーションを受信することと、第２のＢＷＰのための物理レイヤパラメータ及び／又は手順が以前に、第２のＢＷＰの以前の使用中にＭＡＣ ＣＥによって設定されたかどうかを判定することと、を含む。本方法は更に、ＵＥにおいて、第２のＢＷＰのための物理レイヤパラメータ及び／又は手順が以前に、第２のＢＷＰの以前の使用中にＭＡＣ ＣＥによって設定されたと判定したことに応じて、第２のＢＷＰのための以前に設定された物理レイヤパラメータ及び／又は手順を適用することを含む。
【０１１４】
いくつかの実施形態によれば、ホストコンピュータ、基地局、及び以前に設定された２つ以上のＢＷＰのうちの１つで選択的に動作するように構成されたＵＥを含む通信システムにおいて実行される方法が提供され、各ＢＷＰは、アップリンク及び／又はダウンリンク動作のために使用可能な帯域幅のうちの異なるサブセットであり、本方法は、ホストコンピュータにおいて、ＵＥから基地局へ送信されたユーザデータを受信することを含み、本方法は、ＵＥにおいて、第１のＢＷＰの使用から第２のＢＷＰへの切り替えのインジケーションを受信することと、第２のＢＷＰの使用への切り替えに応じて、１つ以上の物理レイヤ手順の動作を停止することであって、第２のＢＷＰのための当該停止された１つ以上の物理レイヤ手順をアクティブ化及び／又は設定するコマンドの受信時まで停止することと、を含む。
【０１１５】
いくつかの実施形態によれば、ホストコンピュータ、基地局、及び以前に設定された２つ以上のＢＷＰのうちの１つで選択的に動作するように構成されたＵＥを含む通信システムにおいて実行される方法が提供され、各ＢＷＰは、アップリンク及び／又はダウンリンク動作のために使用可能な帯域幅のうちの異なるサブセットであり、本方法は、ホストコンピュータにおいて、ＵＥから基地局へ送信されたユーザデータを受信することを含み、本方法は、ＵＥにおいて、第１のＢＷＰの使用から第２のＢＷＰに切り替えるためのインジケーションを受信することと、第２のＢＷＰの使用への切り替えに応じて、１つ以上の物理レイヤ手順の動作を停止し、かつ、第２のＢＷＰのための当該停止された１つ以上の物理レイヤ手順をアクティブ化及び／又は設定するコマンドの受信のために、所定の時間、待機することと、を含む。本方法は更に、当該所定の時間内に、第２のＢＷＰのための停止された１つ以上の物理レイヤ手順をアクティブ化及び／又は設定するコマンドを受信することに失敗したことに応じて、以前に設定された２つ以上のＢＷＰのうちのデフォルトＢＷＰの使用に切り替えることと、当該デフォルトＢＷＰに対応する、所定のデフォルト設定を、１つ以上の物理レイヤパラメータ及び／又は手順に適用することと、を含む。本方法は更に、ＵＥにおいて、基地局へユーザデータを提供することを含んでもよい。本方法は、ＵＥにおいて、クライアントアプリケーションを実行し、それにより、送信対象のユーザデータを提供することと、ホストコンピュータにおいて、クライアントアプリケーションに関連付けられたホストアプリケーションを実行することと、を含んでもよい。本方法は、ＵＥにおいて、クライアントアプリケーションを実行することと、ＵＥにおいて、クライアントアプリケーションへの入力データであって、クライアントアプリケーションに関連付けられたホストアプリケーションを実行することによってホストコンピュータにおいて提供される入力データを受信することと、を含み、送信対象のユーザデータは、入力データに応じてクライアントアプリケーションによって提供される。
【０１１６】
いくつかの実施形態によれば、ＵＥから基地局への送信から生じるユーザデータを受信するように構成された通信インタフェースを備えるホストコンピュータを含む通信システムであって、ＵＥは、以前に設定された２つ以上のＢＷＰのうちの１つで選択的に動作するように構成されたＵＥへの送信のためにセルラネットワークにユーザデータを転送するように構成され、各ＢＷＰは、アップリンク及び／又はダウンリンク動作のために使用可能な帯域幅のうちの異なるサブセットであり、基地局は、第１のＢＷＰの使用から第２のＢＷＰに切り替えるためのインジケーションを、ＵＥへ送信し、第２のＢＷＰの使用中にＵＥから予期されるが受信されなかった物理レイヤ報告の数をカウントし、上記の数が所定の限界に達したことに応答して、第２のＢＷＰについての物理レイヤ報告を設定するための、１つ以上のＭＡＣ制御エレメント（ＣＥ）を送信するように構成された、無線インタフェース及び処理回路を備える。通信システムは、基地局、及び／又はＵＥを更に含んでもよく、ＵＥは、基地局と通信するように構成される。ホストコンピュータの処理回路は、ホストアプリケーションを実行するように構成されてもよく、ＵＥの処理回路は、ホストアプリケーションに関連付けられたクライアントアプリケーションを実行するように構成されてもよく、それによって、ホストコンピュータによって受信されるユーザデータを提供する。
【０１１７】
いくつかの実施形態によれば、ホストコンピュータ、基地局、及び以前に設定された２つ以上のＢＷＰのうちの１つで選択的に動作するように構成されたＵＥを含む通信システムにおいて実行される方法が提供され、各ＢＷＰは、アップリンク及び／又はダウンリンク動作のために使用可能な帯域幅のうちの異なるサブセットであり、本方法は、ホストコンピュータにおいて、基地局がＵＥから受信した送信から生じたユーザデータを、基地局から受信することを含み、本方法は、ＵＥにおいて、第１のＢＷＰの使用から第２のＢＷＰへの切り替えのインジケーションを受信することと、第２のＢＷＰの使用に切り替えた後、第２のＢＷＰに対応する所定のデフォルト設定を１つ以上の物理レイヤパラメータ及び／又は手順に適用することと、を含む。
【０１１８】
いくつかの実施形態によれば、ホストコンピュータ、基地局、及び以前に設定された２つ以上のＢＷＰのうちの１つで選択的に動作するように構成されたＵＥを含む通信システムにおいて実行される方法が提供され、各ＢＷＰは、アップリンク及び／又はダウンリンク動作のために使用可能な帯域幅のうちの異なるサブセットであり、本方法は、ホストコンピュータにおいて、基地局がＵＥから受信した送信から生じたユーザデータを、基地局から受信することを含み、本方法は、ＵＥにおいて、第１のＢＷＰの使用から第２のＢＷＰへの切り替えのインジケーションを受信することと、第２のＢＷＰのための物理レイヤパラメータ及び／又は手順が以前に、第２のＢＷＰの以前の使用中にＭＡＣ ＣＥによって設定されたかどうかを判定することと、を含む。本方法は更に、ＵＥにおいて、第２のＢＷＰのための物理レイヤパラメータ及び／又は手順が以前に、第２のＢＷＰの以前の使用中にＭＡＣ ＣＥによって設定されたと判定したことに応じて、第２のＢＷＰのための以前に設定された物理レイヤパラメータ及び／又は手順を適用することを含む。
【０１１９】
いくつかの実施形態によれば、ホストコンピュータ、基地局、及び以前に設定された２つ以上のＢＷＰのうちの１つで選択的に動作するように構成されたＵＥを含む通信システムにおいて実行される方法が提供され、各ＢＷＰは、アップリンク及び／又はダウンリンク動作のために使用可能な帯域幅のうちの異なるサブセットであり、本方法は、ホストコンピュータにおいて、基地局がＵＥから受信した送信から生じたユーザデータを、基地局から受信することを含み、本方法は、ＵＥにおいて、第１のＢＷＰの使用から第２のＢＷＰへの切り替えのインジケーションを受信することと、第２のＢＷＰの使用への切り替えに応じて、１つ以上の物理レイヤ手順の動作を停止することであって、第２のＢＷＰのための当該停止された１つ以上の物理レイヤ手順をアクティブ化及び／又は設定するコマンドの受信時まで停止することと、を含む。
【０１２０】
いくつかの実施形態によれば、ホストコンピュータ、基地局、及び以前に設定された２つ以上のＢＷＰのうちの１つで選択的に動作するように構成されたＵＥを含む通信システムにおいて実行される方法が提供され、各ＢＷＰは、アップリンク及び／又はダウンリンク動作のために使用可能な帯域幅のうちの異なるサブセットであり、本方法は、ホストコンピュータにおいて、基地局がＵＥから受信した送信から生じたユーザデータを、基地局から受信することを含み、本方法は、ＵＥにおいて、第１のＢＷＰの使用から第２のＢＷＰに切り替えるためのインジケーションを受信することと、第２のＢＷＰの使用への切り替えに応じて、１つ以上の物理レイヤ手順の動作を停止し、かつ、第２のＢＷＰのための当該停止された１つ以上の物理レイヤ手順をアクティブ化及び／又は設定するコマンドの受信のために、所定の時間、待機することと、を含む。本方法は更に、ＵＥにおいて、当該所定の時間内に、第２のＢＷＰのための停止された１つ以上の物理レイヤ手順をアクティブ化及び／又は設定するコマンドを受信することに失敗したことに応じて、以前に設定された２つ以上のＢＷＰのうちのデフォルトＢＷＰの使用に切り替えることと、当該デフォルトＢＷＰに対応する、所定のデフォルト設定を、１つ以上の物理レイヤパラメータ及び／又は手順に適用することと、を含む。本方法は更に、基地局において、ＵＥからユーザデータを受信することと、基地局において、受信したユーザデータのホストコンピュータへの送信を開始することと、を含んでもよい。
【０１２１】
上記で詳細に説明したように、本明細書に記載の技術は、例えば、図６及び図８乃至図１１の処理フロー図に示すように、１つ以上のプロセッサによって実行されるコンピュータプログラム命令を使用して、全体的に又は部分的に実装されうる。当然ながら、これらの技術の機能実装は機能モジュールを単位として表されてもよく、その場合、各機能モジュールは、適切なプロセッサ内で実行されるソフトウェアの機能ユニットに対応するか、又は機能デジタルハードウェア回路に対応するか、又は両方の何らかの組合せに対応する。
【０１２２】
図１８は、ネットワークノード３０に実装されうる機能モジュール又は回路アーキテクチャの例を示す。図１８において、ネットワークノード３０は、送信モジュール１８０２、カウントモジュール１８０４、及び送信モジュール１８０６を備え、これらは例えば、図５に例示されているように、処理回路３２内に実装され、より具体的には、同様に図５に例示されているように、メモリ４４内に格納されたコンピュータプログラムコード４６を使用して実装される。このため、機能コンポーネント１８０２、１８０４、及び１８０６のそれぞれは、コードの機能モジュールを含むものとして、又はそのようなコードを格納するメモリと結合された処理回路を含むものとして理解されうる − いくつかの実施形態において、これらの機能コンポーネントは単一の処理回路内に実装されることになるが、他の実施形態において、機能モジュールはいくつかの処理回路間で分割されうる。
【０１２３】
図１８に示される機能実装は、第１のＢＷＰの使用から第２のＢＷＰへ切り替えるためのインジケーションを、無線デバイス５０に送信する送信モジュール１８０２を含む。当該実装は、第２のＢＷＰの使用中に無線デバイスから予期されるが受信されなかった物理レイヤ報告の数をカウントするカウントモジュール１８０４を含む。当該実装は、上記の数が所定の限界に達したことに応答して、第２のＢＷＰについての物理レイヤ報告を設定するための１つ以上のＭＡＣ ＣＥを送信する送信モジュール１８０６を含む。
【０１２４】
図１９は、無線デバイス５０に実装されうる機能モジュール又は回路アーキテクチャの例を示す。図１９において、無線デバイス５０は、受信モジュール１９０２及び適用モジュール１９０４を備え、これらは例えば、図７に例示されているように、処理回路５２内に実装され、より具体的には、同様に図７に例示されているように、メモリ６４内に格納されたコンピュータプログラムコード６６を使用して実装される。このため、機能コンポーネント１９０２及び１９０４のそれぞれは、コードの機能モジュールを含むものとして、又はそのようなコードを格納するメモリと結合された処理回路を含むものとして理解されうる − いくつかの実施形態において、これらの機能コンポーネントは単一の処理回路内に実装されることになるが、他の実施形態において、機能モジュールはいくつかの処理回路間で分割されうる。
【０１２５】
図１９に示される機能実装は、第１のＢＷＰの使用から第２のＢＷＰに切り替えるためのインジケーションを受信する受信モジュール１９０２と、第２のＢＷＰの使用への切り替えの後に、第２のＢＷＰに対応する、予め定められたデフォルト設定を、１つ以上の物理レイヤパラメータ及び／又は手順に適用する適用モジュール１９０４と、を含む。
【０１２６】
図２０は、同様に無線デバイス５０に実装されうる機能モジュール又は回路アーキテクチャの例を示す。図２０において、無線デバイス５０は、受信モジュール２００２、判定モジュール２００４、及び適用モジュール２００６を備え、これらは例えば、図７に例示されているように、処理回路５２内に実装され、より具体的には、再び図７に例示されているように、メモリ６４内に格納されたコンピュータプログラムコード６６を使用して実装される。このため、機能コンポーネント２００２、２００４、及び２００６のそれぞれは、コードの機能モジュールを含むものとして、又はそのようなコードを格納するメモリと結合された処理回路を含むものとして理解されうる − いくつかの実施形態において、これらの機能コンポーネントは単一の処理回路内に実装されることになるが、他の実施形態において、機能モジュールはいくつかの処理回路間で分割されうる。
【０１２７】
図１９に示される実装は、第１のＢＷＰの使用から第２のＢＷＰに切り替えるためのインジケーションを受信する受信モジュール２００２と、第２のＢＷＰのための物理レイヤパラメータ及び／又は手順が以前に、第２のＢＷＰの以前の使用中にＭＡＣ ＣＥによって設定されたかどうかを判定する判定モジュール２００４と、を含む。当該実装は更に、第２のＢＷＰのための物理レイヤパラメータ及び／又は手順が以前に、第２のＢＷＰの以前の使用中にＭＡＣ ＣＥによって設定されたと判定したことに応じて、第２のＢＷＰのための以前に設定された物理レイヤパラメータ及び／又は手順を適用する適用モジュール２００６を含む。
【０１２８】
図２１は、無線デバイス５０に実装されうる機能モジュール又は回路アーキテクチャの別の例を示す。図２１において、無線デバイス５０は、受信モジュール２１０２及び停止モジュール２２０４を備え、これらは例えば、図７に例示されているように、処理回路５２内に実装され、より具体的には、同様に図７に例示されているように、メモリ６４内に格納されたコンピュータプログラムコード６６を使用して実装される。このため、機能コンポーネント２１０２及び２１０４のそれぞれは、コードの機能モジュールを含むものとして、又はそのようなコードを格納するメモリと結合された処理回路を含むものとして理解されうる − いくつかの実施形態において、これらの機能コンポーネントは単一の処理回路内に実装されることになるが、他の実施形態において、機能モジュールはいくつかの処理回路間で分割されうる。
【０１２９】
図２１に示される実装は、第１のＢＷＰの使用から第２のＢＷＰに切り替えるためのインジケーションを受信する受信モジュール２１０２と、第２のＢＷＰの使用への切り替えに応じて、１つ以上の物理レイヤ手順の動作を停止することであって、第２のＢＷＰのための当該停止された１つ以上の物理レイヤ手順をアクティブ化及び／又は設定するコマンドの受信時まで停止することを行う停止モジュール２１０４と、を含む。
【０１３０】
図２２は、無線デバイス５０に実装されうる機能モジュール又は回路アーキテクチャの更に別の例を示す。図２２において、無線デバイス５０は、受信モジュール２２０２、停止モジュール２２０４、及び切り替えモジュール２２０６を備え、これらは例えば、図７に例示されているように、処理回路５２内に実装され、より具体的には、再び図７に例示されているように、メモリ６４内に格納されたコンピュータプログラムコード６６を使用して実装される。このため、機能コンポーネント２２０２、２２０４、及び２２０６のそれぞれは、コードの機能モジュールを含むものとして、又はそのようなコードを格納するメモリと結合された処理回路を含むものとして理解されうる − いくつかの実施形態において、これらの機能コンポーネントは単一の処理回路内に実装されることになるが、他の実施形態において、機能モジュールはいくつかの処理回路間で分割されうる。
【０１３１】
図２２に示される実装は、第１のＢＷＰの使用から第２のＢＷＰに切り替えるためのインジケーションを受信する受信モジュール２２０２と、第２のＢＷＰの使用への切り替えに応じて、１つ以上の物理レイヤ手順の動作を停止し、かつ、第２のＢＷＰのための当該停止された１つ以上の物理レイヤ手順をアクティブ化及び／又は設定するコマンドの受信のために、所定の時間、待機する停止モジュール２２０４と、を含む。当該実装は更に、当該所定の時間内に、第２のＢＷＰのための停止された１つ以上の物理レイヤ手順をアクティブ化及び／又は設定するコマンドを受信することに失敗したことに応じて、以前に設定された２つ以上のＢＷＰのうちのデフォルトＢＷＰの使用に切り替え、かつ、当該デフォルトＢＷＰに対応する、所定のデフォルト設定を、１つ以上の物理レイヤパラメータ及び／又は手順に適用する、切り替えモジュール２２０６を含む。
【０１３２】
本発明概念の原理から実質的に逸脱することなく、実施形態に対して多くの変形及び修正を行うことができる。全てのそのような変形及び修正は、本発明の概念の範囲内に含まれることが意図される。したがって、上記で開示された主題は例示的であり、限定的ではないと考えられるべきであり、実施形態の例は、本発明概念の精神及び範囲内にある、全てのそのような修正、拡張、及び他の実施形態を包含することが意図される。このため、本発明概念の範囲は、法律によって許容される最大限まで、実施形態の例及びその均等物を含む本開示の最も広い許容可能な解釈によって決定されるべきであり、前述の詳細な説明によって限定又は限定されるべきではない。
【図１】
2021520677.tif 000003
【図２】
2021520677.tif 000004
【図３】
2021520677.tif 000005
【図４】
2021520677.tif 000006
【図５】
2021520677.tif 000007
【図６】
2021520677.tif 000008
【図７】
2021520677.tif 000009
【図８】
2021520677.tif 000010
【図９】
2021520677.tif 000011
【図１０】
2021520677.tif 000012
【図１１】
2021520677.tif 000013
【図１２】
2021520677.tif 000014
【図１３】
2021520677.tif 000015
【図１４】
2021520677.tif 000016
【図１５】
2021520677.tif 000017
【図１６】
2021520677.tif 000018
【図１７】
2021520677.tif 000019
【図１８】
2021520677.tif 000020
【図１９】
2021520677.tif 000021
【図２０】
2021520677.tif 000022
【図２１】
2021520677.tif 000023
【図２２】
2021520677.tif 000024
【手続補正書】
【提出日】令和1年12月9日(2019.12.9)
【手続補正１】
【補正対象書類名】特許請求の範囲
【補正対象項目名】全文
【補正方法】変更
【補正の内容】
【特許請求の範囲】
【請求項１】
以前に設定された２つ以上の帯域幅部分（ＢＷＰ）のうちの１つで選択的に動作するように構成された無線デバイス（50）における方法（800）であって、各ＢＷＰは、アップリンク及び／又はダウンリンク動作のために使用可能な帯域幅のうちの異なるサブセットであり、前記方法（800）は、
第１のＢＷＰの使用から第２のＢＷＰに切り替えるためのインジケーションを受信すること（802）と、
前記第２のＢＷＰの使用への切り替えの後に、前記第２のＢＷＰに対応する、所定のデフォルト設定を、１つ以上の物理レイヤパラメータ及び／又は手順に適用すること（804）と、を含み、
前記１つ以上の物理レイヤパラメータ及び／又は手順は、
チャネル状態情報（ＣＳＩ）報告、
干渉測定報告、及び
サウンディング参照信号（ＳＲＳ）設定パラメータ、
のうちの１つ以上を含む、方法。
【請求項２】
請求項１に記載の方法（800）であって、前記所定のデフォルト設定は、複数の所定のデフォルト設定のうちの１つであり、前記複数の所定のデフォルト設定のそれぞれは、前記以前に設定されたＢＷＰのそれぞれに一意に対応する、方法。
【請求項３】
請求項１に記載の方法（800）であって、前記所定のデフォルト設定は、前記第２のＢＷＰを含む、前記以前に設定されたＢＷＰのうちの２つ以上に対応する共通のデフォルト設定である、方法。
【請求項４】
請求項１乃至３のいずれか１項に記載の方法（800）であって、前記所定のデフォルト設定は、前記第２のＢＷＰの使用への切り替えに応じて直ちに適用される、方法。
【請求項５】
請求項１乃至３のいずれか１項に記載の方法（800）であって、前記方法（800）は更に、
前記第２のＢＷＰの使用への切り替えに応じて、１つ以上の物理レイヤ手順の動作を停止することと、
前記第２のＢＷＰのための前記停止された１つ以上の物理レイヤ手順をアクティブ化及び／又は設定するコマンドの受信のために、所定の時間、待機することと、を含み、
前記所定のデフォルト設定の前記適用（804）は、前記所定の時間内に、前記第２のＢＷＰのための前記停止された１つ以上の物理レイヤ手順をアクティブ化及び／又は設定するコマンドを受信することに失敗したことに応じて、実行される、方法。
【請求項６】
請求項１乃至３のいずれか１項に記載の方法（800）であって、前記方法（800）は、前記第２のＢＷＰの使用への切り替えに応じて、前記第２のＢＷＰのための物理レイヤパラメータ及び／又は手順が以前に、前記第２のＢＷＰの以前の使用中にメディアアクセス制御（ＭＡＣ）制御エレメント（ＣＥ）によって設定されたかどうかを判定することを更に含み、前記所定のデフォルト設定の前記適用（804）は、前記第２のＢＷＰのための物理レイヤパラメータ及び／又は手順が以前に、前記第２のＢＷＰの以前の使用中にＭＡＣ ＣＥによって設定されていないと判定したことに応じて、実行される、方法。
【請求項７】
請求項１乃至３のいずれか１項に記載の方法（800）であって、前記方法（800）は、前記第２のＢＷＰの使用への切り替えに応じて、前記第２のＢＷＰのための物理レイヤパラメータ及び／又は手順が以前に、前記第２のＢＷＰの以前の使用中であって、かつ、前記切り替えより前の所定のインターバル内に、メディアアクセス制御（ＭＡＣ）制御エレメント（ＣＥ）によって設定されたかを判定することを更に含み、前記所定のデフォルト設定の前記適用（804）は、前記第２のＢＷＰのための物理レイヤパラメータ及び／又は手順が以前に、前記第２のＢＷＰの以前の使用中であって、かつ、前記所定のインターバル内に、ＭＡＣ ＣＥによって設定されていないと判定したことに応じて、実行される、方法。
【請求項８】
請求項１乃至３のいずれか１項に記載の方法（800）であって、前記方法（800）は、前記第２のＢＷＰの使用への切り替えに応じて、前記第２のＢＷＰのための物理レイヤパラメータ及び／又は手順が以前に、アクティブからアイドルへの状態の変化もハンドオーバも無しで生じた前記第２のＢＷＰの以前の使用の間に、メディアアクセス制御（ＭＡＣ）制御エレメント（ＣＥ）によって設定されたかどうかを判定することを更に含み、前記所定のデフォルト設定の前記適用（804）は、前記第２のＢＷＰのための物理レイヤパラメータ及び／又は手順が以前に、アクティブからアイドルへの状態の変化もハンドオーバも無しで生じた前記第２のＢＷＰの以前の使用の間に、ＭＡＣ ＣＥによって設定されていないと判定したことに応じて、実行される、方法。
【請求項９】
請求項１乃至５のいずれか１項に記載の方法（800）であって、
前記所定のデフォルト設定の適用（804）の後に、前記第２のＢＷＰのための１つ以上の物理レイヤ手順をアクティブ化及び／又は設定するコマンドを受信することと、
前記受信されたコマンドに従って前記１つ以上の物理レイヤ手順を実行することと、を更に含む、方法。
【請求項１０】
以前に設定された２つ以上の帯域幅部分（ＢＷＰ）のうちの１つで選択的に動作するように構成された無線デバイス（50）における方法（900）であって、各ＢＷＰは、アップリンク及び／又はダウンリンク動作のために使用可能な帯域幅のうちの異なるサブセットであり、前記方法（900）は、
第１のＢＷＰの使用から第２のＢＷＰに切り替えるためのインジケーションを受信すること（902）と、
前記第２のＢＷＰのための物理レイヤパラメータ及び／又は手順が以前に、前記第２のＢＷＰの以前の使用中にメディアアクセス制御（ＭＡＣ）制御エレメント（ＣＥ）によって設定されたかどうかを判定すること（904）と、
前記第２のＢＷＰのための前記物理レイヤパラメータ及び／又は手順が以前に、前記第２のＢＷＰの以前の使用中にＭＡＣ ＣＥによって設定されたと判定したことに応じて、前記第２のＢＷＰのための前記以前に設定された物理レイヤパラメータ及び／又は手順を適用すること（906）と、を含み、
前記１つ以上の物理レイヤパラメータ及び／又は手順は、
チャネル状態情報（ＣＳＩ）報告、
干渉測定報告、及び
サウンディング参照信号（ＳＲＳ）設定パラメータ、
のうちの１つ以上を含む、方法。
【請求項１１】
請求項１０に記載の方法（900）であって、前記第２のＢＷＰのための前記以前に設定された物理レイヤパラメータ及び／又は手順の適用（906）は、前記第２のＢＷＰのための当該以前に設定された物理レイヤパラメータ及び／又は手順が、前記第１のＢＷＰから前記第２のＢＷＰの使用への切り替えより前の所定の時間インターバル内に設定されたと判定することを更に条件とする、方法。
【請求項１２】
請求項１０に記載の方法（900）であって、前記第２のＢＷＰのための前記以前に設定された物理レイヤパラメータ及び／又は手順の適用（906）は、前記第２のＢＷＰのための当該以前に設定された物理レイヤパラメータ及び／又は手順が設定されてから、アクティブ状態からアイドル状態への変化及び／又はハンドオーバが生じていないと判定することを更に条件とする、方法。
【請求項１３】
以前に設定された２つ以上の帯域幅部分（ＢＷＰ）のうちの１つで選択的に動作するように構成された無線デバイス（50）における方法であって、各ＢＷＰは、アップリンク及び／又はダウンリンク動作のために使用可能な帯域幅のうちの異なるサブセットであり、前記方法（1000）は、
第１のＢＷＰの使用から第２のＢＷＰに切り替えるためのインジケーションを受信すること（1002）と、
前記第２のＢＷＰの使用への切り替えに応じて、１つ以上の物理レイヤ手順の動作を停止することであって、前記第２のＢＷＰのための当該停止された１つ以上の物理レイヤ手順をアクティブ化及び／又は設定するコマンドの受信時まで停止すること（1004）を含み、
前記１つ以上の物理レイヤ手順は、
チャネル状態情報（ＣＳＩ）報告、及び
干渉測定報告
のうちの１つ以上を含む、方法。
【請求項１４】
以前に設定された２つ以上の帯域幅部分（ＢＷＰ）のうちの１つで選択的に動作するように構成された無線デバイス（50）における方法（1100）であって、各ＢＷＰは、アップリンク及び／又はダウンリンク動作のために使用可能な帯域幅のうちの異なるサブセットであり、前記方法（1100）は、
第１のＢＷＰの使用から第２のＢＷＰに切り替えるためのインジケーションを受信すること（1102）と、
前記第２のＢＷＰの使用への切り替えに応じて、１つ以上の物理レイヤ手順の動作を停止し、かつ、前記第２のＢＷＰのための当該停止された１つ以上の物理レイヤ手順をアクティブ化及び／又は設定するコマンドの受信のために、所定の時間、待機すること（1104）と、
前記所定の時間内に、前記第２のＢＷＰのための前記停止された１つ以上の物理レイヤ手順をアクティブ化及び／又は設定するコマンドを受信することに失敗したことに応じて、前記以前に設定された２つ以上のＢＷＰのうちのデフォルトＢＷＰの使用に切り替え、かつ、当該デフォルトＢＷＰに対応する、所定のデフォルト設定を、１つ以上の物理レイヤパラメータ及び／又は手順に適用すること（1106）と、を含み、
前記１つ以上の物理レイヤパラメータ及び／又は手順は、
チャネル状態情報（ＣＳＩ）報告、
干渉測定報告、及び
サウンディング参照信号（ＳＲＳ）設定パラメータ、
のうちの１つ以上を含む、方法。
【請求項１５】
以前に設定された２つ以上の帯域幅部分（ＢＷＰ）のうちの１つで選択的に動作するように構成された無線デバイス（50）にサービスを行うネットワークノード（30）における方法（600）であって、各ＢＷＰは、アップリンク及び／又はダウンリンク動作のために使用可能な帯域幅のうちの異なるサブセットであり、前記方法（600）は、
第１のＢＷＰの使用から第２のＢＷＰに切り替えるためのインジケーションを、前記無線デバイス（50）へ送信すること（602）と、
前記第２のＢＷＰの使用中に前記無線デバイス（50）から予期されるが受信されなかった物理レイヤ報告の数をカウントすること（604）と、
前記数が所定の限界に達したことに応答して、前記第２のＢＷＰについての物理レイヤ報告を設定するための、１つ以上のメディアアクセス制御（ＭＡＣ）制御エレメント（ＣＥ）を送信すること（606）と、
を含む、方法。
【請求項１６】
請求項１５に記載の方法（600）であって、前記第１のＢＷＰの使用から前記第２のＢＷＰに切り替えるための前記インジケーションの送信後に、前記第２のＢＷＰについての物理レイヤ報告を設定するための１つ以上の第１のＭＡＣ ＣＥを送信することを更に含み、前記カウントすることは、前記１つ以上の第１のＭＡＣ ＣＥを送信することに応じて始まる、方法。
【請求項１７】
以前に設定された２つ以上の帯域幅部分（ＢＷＰ）のうちの１つで選択的に動作するように構成された無線デバイス（50）であって、各ＢＷＰは、アップリンク及び／又はダウンリンク動作のために使用可能な帯域幅のうちの異なるサブセットであり、前記無線デバイス（50）は、
無線通信ネットワークのネットワークノード（30）と通信するように構成されたトランシーバ回路（56）と、
前記トランシーバ回路（56）と動作可能に関連付けられた処理回路（52）と、を備え、当該処理回路は、
第１のＢＷＰの使用から第２のＢＷＰに切り替えるためのインジケーションを受信することと、
前記第２のＢＷＰの使用への切り替えの後に、前記第２のＢＷＰに対応する、所定のデフォルト設定を、１つ以上の物理レイヤパラメータ及び／又は手順に適用することと、を行うように構成されており、
前記１つ以上の物理レイヤパラメータ及び／又は手順は、
チャネル状態情報（ＣＳＩ）報告、
干渉測定報告、及び
サウンディング参照信号（ＳＲＳ）設定パラメータ、
のうちの１つ以上を含む、無線デバイス。
【請求項１８】
請求項１７に記載の無線デバイス（50）であって、前記所定のデフォルト設定は、複数の所定のデフォルト設定のうちの１つであり、前記複数の所定のデフォルト設定のそれぞれは、前記以前に設定されたＢＷＰのそれぞれに一意に対応する、無線デバイス。
【請求項１９】
請求項１７に記載の無線デバイス（50）であって、前記所定のデフォルト設定は、前記第２のＢＷＰを含む、前記以前に設定されたＢＷＰのうちの２つ以上に対応する共通のデフォルト設定である、無線デバイス。
【請求項２０】
請求項１７乃至１９のいずれか１項に記載の無線デバイス（50）であって、前記所定のデフォルト設定は、前記第２のＢＷＰの使用への切り替えに応じて直ちに適用される、無線デバイス。
【請求項２１】
請求項１７乃至１９のいずれか１項に記載の無線デバイス（50）であって、前記処理回路（52）は、
前記第２のＢＷＰの使用への切り替えに応じて、１つ以上の物理レイヤ手順の動作を停止することと、
前記第２のＢＷＰのための前記停止された１つ以上の物理レイヤ手順をアクティブ化及び／又は設定するコマンドの受信のために、所定の時間、待機することと、
前記所定の時間内に、前記第２のＢＷＰのための前記停止された１つ以上の物理レイヤ手順をアクティブ化及び／又は設定するコマンドを受信することに失敗したことに応じて、前記所定のデフォルト設定を適用することと、
を行うように構成されている、無線デバイス。
【請求項２２】
請求項１７乃至１９のいずれか１項に記載の無線デバイス（50）であって、前記処理回路（52）は、
前記第２のＢＷＰの使用への切り替えに応じて、前記第２のＢＷＰのための物理レイヤパラメータ及び／又は手順が以前に、前記第２のＢＷＰの以前の使用中にメディアアクセス制御（ＭＡＣ）制御エレメント（ＣＥ）によって設定されたかどうかを判定することと、
前記第２のＢＷＰのための前記物理レイヤパラメータ及び／又は手順が以前に、前記第２のＢＷＰの以前の使用中にＭＡＣ ＣＥによって設定されていないと判定したことに応じて、前記所定のデフォルト設定を適用することと、
を行うように構成されている、無線デバイス。
【請求項２３】
請求項１７乃至１９のいずれか１項に記載の無線デバイス（50）であって、前記処理回路（52）は、
前記第２のＢＷＰの使用への切り替えに応じて、前記第２のＢＷＰのための物理レイヤパラメータ及び／又は手順が以前に、前記第２のＢＷＰの以前の使用中であって、かつ、前記切り替えより前の所定のインターバル内に、メディアアクセス制御（ＭＡＣ）制御エレメント（ＣＥ）によって設定されたかどうかを判定することと、
前記第２のＢＷＰのための前記物理レイヤパラメータ及び／又は手順が以前に、前記第２のＢＷＰの以前の使用中であって、かつ、所定のインターバル内に、ＭＡＣ ＣＥによって設定されていないと判定したことに応じて、前記所定のデフォルト設定を適用することと、
を行うように構成されている、無線デバイス。
【請求項２４】
請求項１７乃至１９のいずれか１項に記載の無線デバイス（50）であって、前記処理回路（52）は、
前記第２のＢＷＰの使用への切り替えに応じて、前記第２のＢＷＰのための物理レイヤパラメータ及び／又は手順が以前に、アクティブからアイドルへの状態の変化もハンドオーバも無しで生じた前記第２のＢＷＰの以前の使用の間に、メディアアクセス制御（ＭＡＣ）制御エレメント（ＣＥ）によって設定されたかどうかを判定することと、
前記第２のＢＷＰのための物理レイヤパラメータ及び／又は手順が以前に、アクティブからアイドルへの状態の変化もハンドオーバも無しで生じた前記第２のＢＷＰの以前の使用の間に、ＭＡＣ ＣＥによって設定されていないと判定したことに応じて、前記所定のデフォルト設定を適用することと、
を行うように構成されている、無線デバイス。
【請求項２５】
請求項１７乃至２１のいずれか１項に記載の無線デバイス（50）であって、前記処理回路（52）は、
前記所定のデフォルト設定を適用した後に、前記第２のＢＷＰのための１つ以上の物理レイヤ手順をアクティブ化及び／又は設定するコマンドを受信することと、
前記受信されたコマンドに従って前記１つ以上の物理レイヤ手順を実行することと、
を行うように構成されている、無線デバイス。
【請求項２６】
以前に設定された２つ以上の帯域幅部分（ＢＷＰ）のうちの１つで選択的に動作するように構成された無線デバイス（50）であって、各ＢＷＰは、アップリンク及び／又はダウンリンク動作のために使用可能な帯域幅のうちの異なるサブセットであり、前記無線デバイス（50）は、
無線通信ネットワークのネットワークノード（30）と通信するように構成されたトランシーバ回路（56）と、
前記トランシーバ回路（56）と動作可能に関連付けられた処理回路（52）と、を備え、当該処理回路は、
第１のＢＷＰの使用から第２のＢＷＰに切り替えるためのインジケーションを受信することと、
前記第２のＢＷＰのための物理レイヤパラメータ及び／又は手順が以前に、前記第２のＢＷＰの以前の使用中にメディアアクセス制御（ＭＡＣ）制御エレメント（ＣＥ）によって設定されたかどうかを判定することと、
前記第２のＢＷＰのための前記物理レイヤパラメータ及び／又は手順が以前に、前記第２のＢＷＰの以前の使用中にＭＡＣ ＣＥによって設定されたと判定したことに応じて、前記第２のＢＷＰのための前記以前に設定された物理レイヤパラメータ及び／又は手順を適用することと、を行うように構成されており、
前記１つ以上の物理レイヤパラメータ及び／又は手順は、
チャネル状態情報（ＣＳＩ）報告、
干渉測定報告、及び
サウンディング参照信号（ＳＲＳ）設定パラメータ、
のうちの１つ以上を含む、無線デバイス。
【請求項２７】
請求項２６に記載の無線デバイス（50）であって、前記処理回路（52）は、前記第２のＢＷＰのための当該以前に設定された物理レイヤパラメータ及び／又は手順が、前記第１のＢＷＰから前記第２のＢＷＰの使用への切り替えより前の所定の時間インターバル内に設定されたと判定することを更に条件として、前記第２のＢＷＰのための前記以前に設定された物理レイヤパラメータ及び／又は手順を適用するように構成されている、無線デバイス。
【請求項２８】
請求項２６に記載の無線デバイス（50）であって、前記処理回路（52）は、前記第２のＢＷＰのための当該以前に設定された物理レイヤパラメータ及び／又は手順が設定されてから、アクティブ状態からアイドル状態への変化及び／又はハンドオーバが生じていないと判定することを更に条件として、前記第２のＢＷＰのための前記以前に設定された物理レイヤパラメータ及び／又は手順を適用するように構成されている、無線デバイス。
【請求項２９】
以前に設定された２つ以上の帯域幅部分（ＢＷＰ）のうちの１つで選択的に動作するように構成された無線デバイス（50）であって、各ＢＷＰは、アップリンク及び／又はダウンリンク動作のために使用可能な帯域幅のうちの異なるサブセットであり、前記無線デバイス（50）は、
無線通信ネットワークのネットワークノード（30）と通信するように構成されたトランシーバ回路（56）と、
前記トランシーバ回路（56）と動作可能に関連付けられた処理回路（52）と、を備え、当該処理回路は、
第１のＢＷＰの使用から第２のＢＷＰに切り替えるためのインジケーションを受信することと、
前記第２のＢＷＰの使用への切り替えに応じて、１つ以上の物理レイヤ手順の動作を停止することであって、前記第２のＢＷＰのための当該停止された１つ以上の物理レイヤ手順をアクティブ化及び／又は設定するコマンドの受信時まで停止することと、を行うように構成されており、
前記１つ以上の物理レイヤ手順は、
チャネル状態情報（ＣＳＩ）報告、及び
干渉測定報告
のうちの１つ以上を含む、無線デバイス。
【請求項３０】
以前に設定された２つ以上の帯域幅部分（ＢＷＰ）のうちの１つで選択的に動作するように構成された無線デバイス（50）であって、各ＢＷＰは、アップリンク及び／又はダウンリンク動作のために使用可能な帯域幅のうちの異なるサブセットであり、前記無線デバイス（50）は、
無線通信ネットワークのネットワークノード（30）と通信するように構成されたトランシーバ回路（56）と、
前記トランシーバ回路（56）と動作可能に関連付けられた処理回路（52）と、を備え、当該処理回路は、
第１のＢＷＰの使用から第２のＢＷＰに切り替えるためのインジケーションを受信することと、
前記第２のＢＷＰの使用への切り替えに応じて、１つ以上の物理レイヤ手順の動作を停止し、かつ、前記第２のＢＷＰのための当該停止された１つ以上の物理レイヤ手順をアクティブ化及び／又は設定するコマンドの受信のために、所定の時間、待機することと、
前記所定の時間内に、前記第２のＢＷＰのための前記停止された１つ以上の物理レイヤ手順をアクティブ化及び／又は設定するコマンドを受信することに失敗したことに応じて、前記以前に設定された２つ以上のＢＷＰのうちのデフォルトＢＷＰの使用に切り替え、かつ、当該デフォルトＢＷＰに対応する、所定のデフォルト設定を、１つ以上の物理レイヤパラメータ及び／又は手順に適用することと、を行うように構成されており、
前記１つ以上の物理レイヤパラメータ及び／又は手順は、
チャネル状態情報（ＣＳＩ）報告、
干渉測定報告、及び
サウンディング参照信号（ＳＲＳ）設定パラメータ、
のうちの１つ以上を含む、無線デバイス。
【請求項３１】
以前に設定された２つ以上の帯域幅部分（ＢＷＰ）のうちの１つで選択的に動作するように構成された無線デバイス（50）にサービスを行うように構成されたネットワークノード（30）であって、各ＢＷＰは、アップリンク及び／又はダウンリンク動作のために使用可能な帯域幅のうちの異なるサブセットであり、前記ネットワークノード（30）は、
前記無線デバイス（50）と通信するように構成されたトランシーバ回路（36）と、
前記トランシーバ回路（36）と動作可能に関連付けられた処理回路（32）と、を備え、当該処理回路は、
第１のＢＷＰの使用から第２のＢＷＰに切り替えるためのインジケーションを、前記無線デバイス（50）へ送信することと、
前記第２のＢＷＰの使用中に前記無線デバイス（50）から予期されるが受信されなかった物理レイヤ報告の数をカウントすることと、
前記数が所定の限界に達したことに応答して、前記第２のＢＷＰについての物理レイヤ報告を設定するための、１つ以上のメディアアクセス制御（ＭＡＣ）制御エレメント（ＣＥ）を送信することと、
を行うように構成されている、ネットワークノード。
【請求項３２】
請求項３１に記載のネットワークノード（30）であって、前記処理回路（32）は、前記第１のＢＷＰの使用から前記第２のＢＷＰに切り替えるための前記インジケーションの送信後に、前記第２のＢＷＰについての物理レイヤ報告を設定するための１つ以上の第１のＭＡＣ ＣＥを送信するように構成されており、前記カウントすることは、前記１つ以上の第１のＭＡＣ ＣＥを送信することに応じて始まる、ネットワークノード。
【請求項３３】
請求項１乃至１４のいずれか１項に記載の方法（800, 900, 1000, 1100）を実行するように構成された無線デバイス（50）。
【請求項３４】
請求項１５又は１６に記載の方法（600）を実行するように構成されたネットワークノード（30）。
【請求項３５】
少なくとも１つの処理回路（32, 52）で実行されると当該少なくとも１つの処理回路（32, 52）に、請求項１乃至１６のいずれか１項に記載の方法（600, 800, 900, 1000, 1100）を実行させる命令を含む、コンピュータプログラム製品（46, 66）。
【請求項３６】
請求項３５に記載のコンピュータプログラム製品（46, 66）を含むキャリアであって、前記キャリアは、電気信号、光信号、無線信号、又はコンピュータ読取可能可読記憶媒体（44, 64）のうちの１つである、キャリア。
【手続補正書】
【提出日】令和2年10月5日(2020.10.5)
【手続補正１】
【補正対象書類名】特許請求の範囲
【補正対象項目名】全文
【補正方法】変更
【補正の内容】
【特許請求の範囲】
【請求項１】
以前に設定された２つ以上の帯域幅部分（ＢＷＰ）のうちの１つで選択的に動作するように構成された無線デバイス（50）における方法（800）であって、各ＢＷＰは、アップリンク及び／又はダウンリンク動作のために使用可能な帯域幅のうちの異なるサブセットであり、前記方法（800）は、
第１のＢＷＰの使用から第２のＢＷＰに切り替えるためのインジケーションを受信すること（802）と、
前記第２のＢＷＰの使用への切り替えの後に、前記第２のＢＷＰに対応する、所定のデフォルト設定を、１つ以上の物理レイヤパラメータ及び／又は手順に適用すること（804）と、を含み、
前記１つ以上の物理レイヤパラメータ及び／又は手順は、
チャネル状態情報（ＣＳＩ）報告、
干渉測定報告、及び
サウンディング参照信号（ＳＲＳ）設定パラメータ、
のうちの１つ以上を含む、方法。
【請求項２】
請求項１に記載の方法（800）であって、前記所定のデフォルト設定は、複数の所定のデフォルト設定のうちの１つであり、前記複数の所定のデフォルト設定のそれぞれは、前記以前に設定されたＢＷＰのそれぞれに一意に対応する、方法。
【請求項３】
請求項１に記載の方法（800）であって、前記所定のデフォルト設定は、前記第２のＢＷＰを含む、前記以前に設定されたＢＷＰのうちの２つ以上に対応する共通のデフォルト設定である、方法。
【請求項４】
請求項１乃至３のいずれか１項に記載の方法（800）であって、前記所定のデフォルト設定は、前記第２のＢＷＰの使用への切り替えに応じて直ちに適用される、方法。
【請求項５】
請求項１乃至３のいずれか１項に記載の方法（800）であって、前記方法（800）は更に、
前記第２のＢＷＰの使用への切り替えに応じて、１つ以上の物理レイヤ手順の動作を停止することと、
前記第２のＢＷＰのための前記停止された１つ以上の物理レイヤ手順をアクティブ化及び／又は設定するコマンドの受信のために、所定の時間、待機することと、を含み、
前記所定のデフォルト設定の前記適用（804）は、前記所定の時間内に、前記第２のＢＷＰのための前記停止された１つ以上の物理レイヤ手順をアクティブ化及び／又は設定するコマンドを受信することに失敗したことに応じて、実行される、方法。
【請求項６】
請求項１乃至３のいずれか１項に記載の方法（800）であって、前記方法（800）は、前記第２のＢＷＰの使用への切り替えに応じて、前記第２のＢＷＰのための物理レイヤパラメータ及び／又は手順が以前に、前記第２のＢＷＰの以前の使用中にメディアアクセス制御（ＭＡＣ）制御エレメント（ＣＥ）によって設定されたかどうかを判定することを更に含み、前記所定のデフォルト設定の前記適用（804）は、前記第２のＢＷＰのための物理レイヤパラメータ及び／又は手順が以前に、前記第２のＢＷＰの以前の使用中にＭＡＣ ＣＥによって設定されていないと判定したことに応じて、実行される、方法。
【請求項７】
請求項１乃至３のいずれか１項に記載の方法（800）であって、前記方法（800）は、前記第２のＢＷＰの使用への切り替えに応じて、前記第２のＢＷＰのための物理レイヤパラメータ及び／又は手順が以前に、前記第２のＢＷＰの以前の使用中であって、かつ、前記切り替えより前の所定のインターバル内に、メディアアクセス制御（ＭＡＣ）制御エレメント（ＣＥ）によって設定されたかを判定することを更に含み、前記所定のデフォルト設定の前記適用（804）は、前記第２のＢＷＰのための物理レイヤパラメータ及び／又は手順が以前に、前記第２のＢＷＰの以前の使用中であって、かつ、前記所定のインターバル内に、ＭＡＣ ＣＥによって設定されていないと判定したことに応じて、実行される、方法。
【請求項８】
請求項１乃至３のいずれか１項に記載の方法（800）であって、前記方法（800）は、前記第２のＢＷＰの使用への切り替えに応じて、前記第２のＢＷＰのための物理レイヤパラメータ及び／又は手順が以前に、アクティブからアイドルへの状態の変化もハンドオーバも無しで生じた前記第２のＢＷＰの以前の使用の間に、メディアアクセス制御（ＭＡＣ）制御エレメント（ＣＥ）によって設定されたかどうかを判定することを更に含み、前記所定のデフォルト設定の前記適用（804）は、前記第２のＢＷＰのための物理レイヤパラメータ及び／又は手順が以前に、アクティブからアイドルへの状態の変化もハンドオーバも無しで生じた前記第２のＢＷＰの以前の使用の間に、ＭＡＣ ＣＥによって設定されていないと判定したことに応じて、実行される、方法。
【請求項９】
請求項１乃至５のいずれか１項に記載の方法（800）であって、
前記所定のデフォルト設定の適用（804）の後に、前記第２のＢＷＰのための１つ以上の物理レイヤ手順をアクティブ化及び／又は設定するコマンドを受信することと、
前記受信されたコマンドに従って前記１つ以上の物理レイヤ手順を実行することと、を更に含む、方法。
【請求項１０】
以前に設定された２つ以上の帯域幅部分（ＢＷＰ）のうちの１つで選択的に動作するように構成された無線デバイス（50）における方法（900）であって、各ＢＷＰは、アップリンク及び／又はダウンリンク動作のために使用可能な帯域幅のうちの異なるサブセットであり、前記方法（900）は、
第１のＢＷＰの使用から第２のＢＷＰに切り替えるためのインジケーションを受信すること（902）と、
前記第２のＢＷＰのための物理レイヤパラメータ及び／又は手順が以前に、前記第２のＢＷＰの以前の使用中にメディアアクセス制御（ＭＡＣ）制御エレメント（ＣＥ）によって設定されたかどうかを判定すること（904）と、
前記第２のＢＷＰのための前記物理レイヤパラメータ及び／又は手順が以前に、前記第２のＢＷＰの以前の使用中にＭＡＣ ＣＥによって設定されたと判定したことに応じて、前記第２のＢＷＰのための前記以前に設定された物理レイヤパラメータ及び／又は手順を適用すること（906）と、を含み、
前記物理レイヤパラメータ及び／又は手順は、
チャネル状態情報（ＣＳＩ）報告、
干渉測定報告、及び
サウンディング参照信号（ＳＲＳ）設定パラメータ、
のうちの１つ以上を含む、方法。
【請求項１１】
請求項１０に記載の方法（900）であって、前記第２のＢＷＰのための前記以前に設定された物理レイヤパラメータ及び／又は手順の適用（906）は、前記第２のＢＷＰのための当該以前に設定された物理レイヤパラメータ及び／又は手順が、前記第１のＢＷＰから前記第２のＢＷＰの使用への切り替えより前の所定の時間インターバル内に設定されたと判定することを更に条件とする、方法。
【請求項１２】
請求項１０に記載の方法（900）であって、前記第２のＢＷＰのための前記以前に設定された物理レイヤパラメータ及び／又は手順の適用（906）は、前記第２のＢＷＰのための当該以前に設定された物理レイヤパラメータ及び／又は手順が設定されてから、アクティブ状態からアイドル状態への変化及び／又はハンドオーバが生じていないと判定することを更に条件とする、方法。
【請求項１３】
以前に設定された２つ以上の帯域幅部分（ＢＷＰ）のうちの１つで選択的に動作するように構成された無線デバイス（50）における方法であって、各ＢＷＰは、アップリンク及び／又はダウンリンク動作のために使用可能な帯域幅のうちの異なるサブセットであり、前記方法（1000）は、
第１のＢＷＰの使用から第２のＢＷＰに切り替えるためのインジケーションを受信すること（1002）と、
前記第２のＢＷＰの使用への切り替えに応じて、１つ以上の物理レイヤ手順の動作を停止することであって、前記第２のＢＷＰのための当該停止された１つ以上の物理レイヤ手順をアクティブ化及び／又は設定するコマンドの受信時まで停止すること（1004）を含み、
前記１つ以上の物理レイヤ手順は、
チャネル状態情報（ＣＳＩ）報告、及び
干渉測定報告
のうちの１つ以上を含む、方法。
【請求項１４】
以前に設定された２つ以上の帯域幅部分（ＢＷＰ）のうちの１つで選択的に動作するように構成された無線デバイス（50）における方法（1100）であって、各ＢＷＰは、アップリンク及び／又はダウンリンク動作のために使用可能な帯域幅のうちの異なるサブセットであり、前記方法（1100）は、
第１のＢＷＰの使用から第２のＢＷＰに切り替えるためのインジケーションを受信すること（1102）と、
前記第２のＢＷＰの使用への切り替えに応じて、１つ以上の物理レイヤ手順の動作を停止し、かつ、前記第２のＢＷＰのための当該停止された１つ以上の物理レイヤ手順をアクティブ化及び／又は設定するコマンドの受信のために、所定の時間、待機すること（1104）と、
前記所定の時間内に、前記第２のＢＷＰのための前記停止された１つ以上の物理レイヤ手順をアクティブ化及び／又は設定するコマンドを受信することに失敗したことに応じて、前記以前に設定された２つ以上のＢＷＰのうちのデフォルトＢＷＰの使用に切り替え、かつ、当該デフォルトＢＷＰに対応する、所定のデフォルト設定を、１つ以上の物理レイヤパラメータ及び／又は手順に適用すること（1106）と、を含み、
前記１つ以上の物理レイヤパラメータ及び／又は手順は、
チャネル状態情報（ＣＳＩ）報告、
干渉測定報告、及び
サウンディング参照信号（ＳＲＳ）設定パラメータ、
のうちの１つ以上を含む、方法。
【請求項１５】
以前に設定された２つ以上の帯域幅部分（ＢＷＰ）のうちの１つで選択的に動作するように構成された無線デバイス（50）にサービスを行うネットワークノード（30）における方法（600）であって、各ＢＷＰは、アップリンク及び／又はダウンリンク動作のために使用可能な帯域幅のうちの異なるサブセットであり、前記方法（600）は、
第１のＢＷＰの使用から第２のＢＷＰに切り替えるためのインジケーションを、前記無線デバイス（50）へ送信すること（602）と、
前記第２のＢＷＰの使用中に前記無線デバイス（50）から予期されるが受信されなかった物理レイヤ報告の数をカウントすること（604）と、
前記数が所定の限界に達したことに応答して、前記第２のＢＷＰについての物理レイヤ報告を設定するための、１つ以上のメディアアクセス制御（ＭＡＣ）制御エレメント（ＣＥ）を送信すること（606）と、
を含む、方法。
【請求項１６】
請求項１５に記載の方法（600）であって、前記第１のＢＷＰの使用から前記第２のＢＷＰに切り替えるための前記インジケーションの送信後に、前記第２のＢＷＰについての物理レイヤ報告を設定するための１つ以上の第１のＭＡＣ ＣＥを送信することを更に含み、前記カウントすることは、前記１つ以上の第１のＭＡＣ ＣＥを送信することに応じて始まる、方法。
【請求項１７】
請求項１乃至１４のいずれか１項に記載の方法（800, 900, 1000, 1100）を実行するように構成された無線デバイス（50）。
【請求項１８】
請求項１５又は１６に記載の方法（600）を実行するように構成されたネットワークノード（30）。
【請求項１９】
少なくとも１つの処理回路（32, 52）で実行されると当該少なくとも１つの処理回路（32, 52）に、請求項１乃至１６のいずれか１項に記載の方法（600, 800, 900, 1000, 1100）を実行させる命令を含む、コンピュータプログラム（46, 66）。
【請求項２０】
請求項１９に記載のコンピュータプログラム（46, 66）を格納したコンピュータ読取可能可読記憶媒体（44, 64）。
【国際調査報告】
2021520677.tif 000025
2021520677.tif 000026
2021520677.tif 000027